(57)【特許請求の範囲】
【請求項１】
固定筒と、
前記固定筒に対し軸線周りに回転可能に設けられている第１回転筒と、
前記第１回転筒の内周側に配置され、軸線方向については前記第１回転筒と一体的に移動し、且つ軸線の周りについては前記第１回転筒に対して相対的に回転する円筒形状の直進筒とを具備し、
前記直進筒は、
被写体側外周面に外方に突出する第１の突起、第２の突起および第３の突起を有し、
前記第１の突起と前記第２の突起は、前記直進筒の中心軸線を挟んで対向配置され、前記第３の突起は、前記第１の突起と前記第２の突起の間に配置されてなる前側突起群と、
前記直進筒の被写体側外周面における前記前側突起群よりも像面側に少なくとも、前記直進筒の外周面に、外方に突出する後側第１の突起および後側第２の突起を有し、
前記後側第１の突起と前記後側第２の突起の円周方向の幅は、前側突起群が有する前記第１の突起、前記第２の突起および前記第３の突起よりも２倍以上の幅を有し、
前記後側第１の突起と前記後側第２の突起は、前記直進筒の中心軸線を挟んで対向配置され、前記後側第１の突起は、前記直進筒の前方から見た場合に前記第１の突起と重なり、前記後側第２の突起は、前記直進筒の前方から見た場合に前記第２の突起と重なるように配置されてなる後側突起群とを備え、
前記第１の突起、前記第２の突起、前記第３の突起、前記後側第１の突起、前記後側第２の突起の前記直進筒から半径方向外側へ突起する寸法は同一であり、
前記第１回転筒は、内周面に、
前記直進筒の前記前側突起群の光軸方向位置に対応して円周方向に形成される第１の周溝部と、
前記直進筒の前記後側突起群の光軸方向位置に対応して円周方向に形成される第２の周溝部と、
前記前側突起群を挿入するために、後方より軸線と平行に延びて前記第１の周溝部に連通し、前記前側突起群の各突起に対応して形成される３つ以上の凹所を有する第１の案内部と、
前記後側突起群を挿入するために、後方より軸線と平行に延びて前記第２の周溝部に連通し、前記後側突起群の各突起に対応して形成される２つ以上の凹所を有する第２の案内部とを備えてなり、
前記第１の周溝部に前記前側突起群が導入され、前記第２の周溝部に前記後側突起群が導入されることにより前記第１回転筒と前記直進筒が結合されることを特徴とするレンズ鏡胴。
【請求項２】
前記後側突起群は、前記直進筒の像面側端部近傍の同一円周上に配置されていることを特徴とする請求項１に記載のレンズ鏡胴。
【請求項３】
前記後側突起群は、前記直進筒の前記前側突起群に比較的近い軸線方向中間部の同一円周上に配置されていることを特徴とする請求項１に記載のレンズ鏡胴。
【請求項４】
前記直進筒の前記後側突起群は、
前記直進筒の前記前側突起群に比較的近い軸線方向中間部の同一円周上に配置されている２つ以上の突起を有する第１の後側突起群と、
前記直進筒の像面側端部近傍の同一円周上に配置されている２つ以上の突起を有する第２の後側突起群と
を有し、且つ
前記第１回転筒の内周面に形成される前記第２の周溝部は、
前記直進筒の前記後側突起群の前記第１の後側突起群の光軸方向位置に対応して円周方向に形成される第１の後側周溝と、
前記直進筒の前記後側突起群の前記第２の後側突起群の光軸方向位置に対応して円周方向に形成される第２の後側周溝と
を有することを特徴とする請求項１に記載のレンズ鏡胴。
【請求項５】
前記固定筒の内周側に前記第１回転筒および前記直進筒を沈胴収納して沈胴式とするレンズ鏡胴であって、
前記前側突起群および前記後側突起群を、前記第１回転筒の円周方向に形成した前記第１の周溝部および前記第２の周溝部に導入し且つ前記第１回転筒と前記直進筒とを所定角度相対回転した位置を組み付け位置とすることを特徴とする請求項１〜請求項４のいずれか１項に記載のレンズ鏡胴。
【請求項６】
外周面に外方に突設されるピンを有して、前記直進筒の内周側に配置される第２回転筒をさらに備え、
前記直進筒は、
前記第２回転筒に突設される前記ピンに対応する貫通孔を有し、且つ
前記前側突起群の３つ以上の突起のうち少なくとも２つの突起は前記貫通孔と軸線方向において重ならない位置に設けられていることを特徴とする請求項１〜請求項５のいずれか１項に記載のレンズ鏡胴。
【請求項７】
前記第１回転筒と前記直進筒は、
前記第１回転筒と前記直進筒とを、前記組み付け位置から所定角度相対回転した位置が、前記第１回転筒、前記直進筒および前記第２回転筒が前記固定筒の内周側に収納された収納位置であり、
前記第１回転筒と前記直進筒とをさらに相対回転させることにより、前記第１回転筒、前記直進筒および前記第２回転筒が前記固定筒から前方に繰り出した撮影位置となることを特徴とする請求項６に記載のレンズ鏡胴。
【請求項８】
前記第２回転筒に突設されているピンは、前記直進筒に設けられる前記貫通孔を貫通し、前記第１回転筒の内周面に形成される軸線方向に沿う直進溝に係合して、前記第１回転筒の回転を前記第２回転筒に伝達するピンであることを特徴とする請求項６または請求項７に記載のレンズ鏡胴。
【請求項９】
前記直進筒に設けられる前記前側突起群の各突起は、半径方向の高さ寸法が互いに等しいことを特徴とする請求項１〜請求項８のいずれか１項に記載のレンズ鏡胴。
【請求項１０】
前記直進筒に設けられる前記後側突起群の各突起は、半径方向の高さ寸法が互いに等しいことを特徴とする請求項１〜請求項９のいずれか１項に記載のレンズ鏡胴。
【請求項１１】
前記直進筒に設けられる前記前側突起群および前記後側突起群の各突起は、半径方向の高さ寸法が互いに等しいことを特徴とする請求項１〜請求項１０のいずれか１項に記載のレンズ鏡胴。
【請求項１２】
前記直進筒の前記後側突起群の各突起は、軸線方向の幅寸法が、前記前側突起群の各突起よりも広く、且つ
前記第１回転筒の前記第２の周溝部は、軸線方向の幅寸法が、前記第１の周溝部よりも広くなっていることを特徴とする請求項１〜請求項１１のいずれか１項に記載のレンズ鏡胴。
【請求項１３】
前記直進筒の前記後側突起群の各突起は、円周方向の幅寸法が、前記前側突起群の各突起よりも広く、且つ
前記第１回転筒の前記第２の案内部の各凹所は、円周方向の幅寸法が、前記第１の案内部の各凹所よりも広くなっていることを特徴とする請求項１〜請求項１２のいずれか１項に記載のレンズ鏡胴。
【請求項１４】
前記第１回転筒と前記直進筒の組み付け位置から収納位置までの前記第１回転筒と前記直進筒の相対回転角度をα、
前記第１回転筒と前記直進筒の収納位置から最も近い撮影位置までの前記第１回転筒と前記直進筒の相対回転角度をβ、
前記第１回転筒と前記直進筒の最も近い撮影位置から最も遠い撮影位置までの前記第１回転筒と前記直進筒の相対回転角度をγ、
とするとき、前記前側突起群の３つ以上の突起は、
前記前側突起群の第１の突起と、前記前側突起群の第２の突起は、前記直進筒の中心軸線を挟んで対向配置され、
前記前側突起群の前記第１の突起および前記第２の突起よりも円周方向の幅の広い前記前側突起群の第３の突起が、前記第１の突起から前記第１回転筒の回転方向においてα＋β未満の角度をずらして配置されていることを特徴とする請求項１〜請求項１３のいずれか１項に記載のレンズ鏡胴。
【請求項１５】
前記前側突起群の前記第１の突起よりも円周方向の幅の狭い第４の突起が、前記第２の突起から前記第１回転筒の回転方向について、α＋β＋γ以上の角度をずらして配置されていることを特徴とする請求項１４に記載のレンズ鏡胴。
【請求項１６】
被写体像を結像するための撮像光学系を備えた撮像装置において、請求項１〜請求項１５のいずれか１項のレンズ鏡胴を用いて前記撮像光学系を構成してなることを特徴とする撮像装置。
【請求項１７】
撮像機能を備えた情報装置において、前記撮像機能を達成すべく被写体像を結像する撮像光学系を、請求項１〜請求項１５のいずれか１項のレンズ鏡胴を用いて構成してなることを特徴とする情報装置。
【請求項１８】
結像光学系によって結像される光学像を電気信号に変換して入力する画像入力装置において、請求項１〜請求項１５のいずれか１項のレンズ鏡胴を用いて前記結像光学系を構成してなることを特徴とする画像入力装置。
【発明の詳細な説明】
【技術分野】
【０００１】
本発明は、被写体像を結像する光学系のレンズ鏡胴に係り、特に光学系の耐衝撃性を向上し得るレンズ鏡胴、撮像装置、情報装置および画像入力装置に関するものである。
【背景技術】
【０００２】
ディジタルカメラや銀塩フィルムを用いる、いわゆる銀塩カメラ等の撮像装置における撮像光学系を構成するレンズ鏡胴は、撮像装置のボディーに装着されている状態においても、あるいは一眼レフ（一眼レフレックス）カメラ等のようなレンズ交換式カメラ用の撮像光学系としての交換レンズや撮像光学系と撮像素子部分を一体化して交換可能とした、いわばコアユニットのようにカメラ本体から分離されている状態の撮像光学系におけるレンズ鏡胴においても、ユーザーが、誤って取り落としたり、他の物体に衝突させたりすることなどによって、大きな衝撃を受けることがある。
レンズ鏡胴におけるレンズ駆動機構には種々の形式があり、その一つの形式としてバヨネット式と称される結合方式を採用しているものがある。バヨネット式とは、相対的に移動する円筒状の部材（いわゆる鏡筒）相互を、円筒周面からの突起と、それに対応する凹所からなる軸線方向の案内部および円周方向の周溝部との嵌め合いによって結合する、いわゆるバヨネット嵌合を採用する形式である。このようなバヨネット嵌合を採用したレンズ鏡胴においては、前述の突起が円筒状の部材の機構的に強度の弱い部分に配置されていると、上述したように大きな衝撃が加わったとき、円筒状の部材が変形してバヨネット嵌合が外れてしまい、それ以後、円滑な動作ができなくなったり、あるいは動作そのものが不可能になったりすることがある。
【０００３】
上述したような不具合が生じる理由を、さらに具体的に説明する。すなわち、上述した相対的に移動する筒状の部材相互は、一方の部材に形成されている軸線方向に沿う直進溝状の凹所からなる案内部に、他方の部材の突起を嵌合させた状態で軸線方向に相対的に移動させ、さらに上述した円筒状の部材を軸線周りに相対的に回転させることによって上述した案内部に連通する円周方向の周溝部に上述した突起を導入して、筒状の部材相互を結合するようにしている。このような結合構造を、この明細書においては、バヨネット結合と称している。
上述した突起を有する部材は、例えば、レンズを保持するレンズ保持枠をズーミング時などに光軸方向、つまり軸線方向、に沿って移動させるためのピンに対する逃げ溝を備えていたり、あるいはカム溝などを円周方向の広い範囲にわたって備えていたりする場合がある。このように、逃げ溝あるいはカム溝などが形成されていると、上述したような筒状の部材の強度が低下する。特に、軸線方向において上述した逃げ溝およびカム溝等が重なっている範囲では強度が不足しがちである。そのため、この部分に上述した突起が設けられていると、衝撃が加わったときに、上述した突起を有する部材は突起周辺が変形し易く、そのため突起が溝から外れ易くなる。すなわちバヨネット嵌合が外れ易くなる。
【０００４】
この種のバヨネット嵌合を外れにくくするには、上述した突起の幅、すなわち筒状の部材の軸線を中心とした円周方向の広がり寸法を大きくすることが考えられる。しかしながら、上述した突起の幅を若干広くした程度では効果が薄く、この幅を大幅に増大すると、機械的強度の点では効果が大きくなるが、筒状の部材の円周方向における突起の前側と後ろ側の平行度を非常に高精度に加工する必要が生じ、製造が容易ではなくなる。
また、このようなバヨネット嵌合を外れにくくするために、バヨネット嵌合をより深くすることが行われている。このように構成することにより、衝撃によって円筒状の部材がある程度まで変形してもバヨネット嵌合が外れることを回避することができる。あるいは、バヨネット嵌合を外れにくくするための他の方法として、衝撃を受けても円筒状の部材が変形しないように、円筒状の部材を通常用いられる合成樹脂等ではなくアルミニウム合金の棒材から切削加工することによって製作するなどして、当該筒状の部材の機械的な強度を高めることも行われている。このように構成することにより、円筒状の部材の変形自体を比較的少なくすることができる。
【０００５】
しかしながら、前者、すなわちバヨネット嵌合をより深くする対処方法、では、嵌合構造を形成する部材の半径方向の厚さ寸法を大幅に厚くする必要があり、レンズ鏡胴が大径化するという難点がある。また、後者、すなわち円筒状の部材をアルミニウム合金の棒材から切削加工することによって制作する対処方法、を採用すると、製作に長時間を要し、生産性が悪いという難点があり、さらに、通常用いられる合成樹脂等で製作した円筒状の部材と比較すると、重量が重くなり、鏡胴を繰り出した状態で先端部が下方に傾くという難点がある。
円筒状の部材をバヨネット嵌合により連結したレンズ鏡胴の先行技術の一例が、特許文献１（特開２００３−３２２７８６号）に開示されている。この特許文献１（特開２００３−３２２７８６号）には、バヨネット式連結の回転角度を増加させて、自重による移動群レンズの倒れを抑え且つ外力に耐えるために強度を向上させようとする技術が記載されている。そのために、径方向に張り出す複数の突起を有する第１環状部材と、前記突起に対応する形状の複数の切り欠きを有する第２環状部材とを備え、前記切り欠きに前記突起を挿入し、第１環状部材と第２環状部材とを相対回転可能に、且つ軸線方向には一体的に動くようにバヨネット嵌合している。そして、前記突起とこの突起が挿入される前記切り欠きとの組み合わせ毎に、突起形状を異ならせている。
【０００６】
しかしながら、特許文献１（特開２００３−３２２７８６号）の技術においては、突起とこの突起が挿入される切り欠きは、これらの組み合わせごとに径方向の寸法も異ならせることによって所期の効果を得るものであるから、レンズ鏡胴の大きさ、特に径方向の大きさが大きくなるという難点がある。
また、円筒状の部材をバヨネット嵌合により連結するレンズ鏡胴の他の一例が特許文献２（特開平９−２１１２９２号）に開示されている。この特許文献２（特開平９−２１１２９２号）には、バヨネット式連結の組み立て位置に関する記述がなされているが、衝撃耐性の向上に関しては、その形状等について具体的に言及されていない。
さらに、円筒状の部材をバヨネット嵌合により連結するレンズ鏡胴において、上述した特許文献１（特開２００３−３２２７８６号）における難点に対処する技術の一例が特許文献３（特開２００９−１６９３８８号）に開示されている。この特許文献３（特開２００９−１６９３８８号）は、回転筒と直進筒を、突起とこの突起が挿入される切り欠きを有する連結構造で連結したレンズ鏡胴において、前記突起を有する部材が、レンズ枠を光軸方向に移動させるためのピンに対する逃げ溝を備え、前記突起を設ける位置を前記逃げ溝との関係において工夫することにより、レンズ鏡胴がどのような繰り出し状態において衝撃が加わっても、前記突起と切り欠きの嵌合を外れにくくしたレンズ鏡胴を示している。
【０００７】
すなわち、この特許文献３（特開２００９−１６９３８８号）のレンズ鏡胴は、固定筒と、前記固定筒に対し軸線周りに回転可能に配置される第１回転筒と、前記第１回転筒の内周側に配置され、前記第１回転筒とともに軸線方向には一体的に移動し、軸線の周りには相対回転する円筒形状の直進筒と、前記直進筒の内周側に配置される第２回転筒と、を備え、前記直進筒は外周面に外側に張り出す３つ以上の突起を有し、前記第１回転筒は内周面に前記直進筒の各突起に対応し且つ各突起の形に対応して形成される３つ以上の切り欠きを有し、前記第１回転筒の前記３つ以上の切り欠きはそれぞれ前記第１回転筒の軸線と平行に形成されて前記直進筒の各突起が挿入され、前記各突起が挿入される前記各切り欠きの終端は周方向の溝に続いていて、この周方向の溝に各突起が導き入れられることにより前記第１回転筒と前記直進筒が結合され、前記直進筒は、第２回転筒に設けられているピンに対する貫通孔を有し、前記３つ以上の突起のうち少なくとも２つの突起は前記貫通孔と軸線方向において重ならない位置に設けられている。
【発明の概要】
【発明が解決しようとする課題】
【０００８】
しかしながら、上述した特許文献３（特開２００９−１６９３８８号）の構成によって、バヨネット嵌合の耐衝撃性が向上するものの、落下や他の物体への衝突等の大きな衝撃によるバヨネット嵌合の脱落に対する耐衝撃性としてはかならずしも充分とはいえない。
このような回転筒と直進筒を、突起とこの突起が挿入されそれを案内する凹所および該突起に相対回転可能に係合する円周溝との嵌合によるバヨネット式の結合構造で連結するレンズ鏡胴においては、前記突起とそれに対応する円周溝の箇所を被写体寄りの先端側には増加させることなく、それよりも結像面寄りの後方に円周方向の幅、つまり角度幅、の広い突起およびそれに対応する凹所および円周溝を追加し、係合箇所を増加させることにより、落下や他の物体への衝突等の大きな衝撃にもバヨネット嵌合が脱落しないような、耐衝撃性を達成し得ると考えられる。
そこで、本発明は、上述した事情に鑑みてなされたもので、どのような繰り出し状態においてレンズ鏡胴に衝撃が加えられても、突起と凹所および円周溝とのバヨネット式の嵌合が外れることを効果的に防止し得るレンズ鏡胴、そのようなレンズ鏡胴を用いる撮像装置、携帯型情報端末装置等のような情報装置および画像入力装置を提供することを目的としている。
【０００９】
本発明の請求項１の目的は、どのような繰り出し状態においてレンズ鏡胴に衝撃が加えられても、突起と凹所および円周溝とのバヨネット式の嵌合が外れることを効果的に防止し得るレンズ鏡胴を提供することにある。
本発明の請求項２の目的は、特に、追加するバヨネット結合の位置を直進筒が最繰り出し位置にあるときの固定筒の先端部に対応する箇所として、鏡筒が最繰り出し位置にあってもバヨネット結合の脱落を効果的に防止することを可能とするレンズ鏡胴を提供することにある。
本発明の請求項３の目的は、特に、追加するバヨネット結合の位置を直進筒が起動位置にあるときの固定筒の先端部に対応する箇所として、起動中においてもバヨネット結合の脱落を効果的に防止することを可能とするレンズ鏡胴を提供することにある。
本発明の請求項４の目的は、特に、追加するバヨネット結合の位置を直進筒が最繰り出し位置および起動位置にあるときの固定筒の先端部にそれぞれ対応する箇所として、最繰り出し位置においても、起動中においてもバヨネット結合の脱落を最大限に防止することを可能とするレンズ鏡胴を提供することにある。
【００１０】
本発明の請求項５の目的は、特に、組み付け位置において突起と凹所および円周溝とのバヨネット式の嵌合が確実になされた状態として、どのような繰り出し状態におけるレンズ鏡胴への衝撃に対しても、バヨネット結合の脱落をさらに効果的に防止し得るレンズ鏡胴を提供することにある。
本発明の請求項６の目的は、特に、第１回転筒の内周側に配置される直進筒のさらに内周側に第２回転筒が配置されたレンズ鏡胴において、耐衝撃性を向上し、衝撃によるバヨネット結合の脱落をより効果的に防止し得るレンズ鏡胴を提供することにある。
本発明の請求項７の目的は、特に、第１回転筒の内周側に配置される直進筒のさらに内周側に第２回転筒が配置されたレンズ鏡胴において、衝撃によるバヨネット結合の脱落を一層効果的に防止し得るレンズ鏡胴を提供することにある。
本発明の請求項８の目的は、特に、第１回転筒の内周側に配置される直進筒のさらに内周側に、前記第１回転筒に対し円周方向については共に回転し軸線方向については相対的に移動する第２回転筒が配置されたレンズ鏡胴において、衝撃によるバヨネット結合脱落を効果的に防止し得るレンズ鏡胴を提供することにある。
本発明の請求項９〜請求項１１の目的は、特に、直径寸法をいたずらに増大させることなく、バヨネット結合が確実になされ、どのような繰り出し状態における衝撃に対しても、バヨネット結合の脱落を効果的に防止し得るレンズ鏡胴を提供することにある。
【００１１】
本発明の請求項１２の目的は、特に、バヨネット結合がより確実になされ、どのような繰り出し状態における衝撃に対しても、バヨネット結合の脱落をより効果的に防止し得るレンズ鏡胴を提供することにある。
本発明の請求項１３の目的は、特に、バヨネット結合がより一層確実になされ、どのような繰り出し状態における衝撃に対しても、バヨネット結合の脱落をより一層効果的に防止し得るレンズ鏡胴を提供することにある。
本発明の請求項１４の目的は、特に、バヨネット結合がさらに確実になされ、どのような繰り出し状態における衝撃に対しても、バヨネット結合の脱落をさらに効果的に防止し得るレンズ鏡胴を提供することにある。
本発明の請求項１５の目的は、特に、バヨネット結合がさらに一層確実になされ、どのような繰り出し状態における衝撃に対しても、バヨネット結合の脱落をさらに一層効果的に防止し得るレンズ鏡胴を提供することにある。
本発明の請求項１６の目的は、特に、被写体像を結像するための撮像光学系を備えた撮像装置において、前記撮像光学系を構成するレンズ鏡胴における衝撃によるバヨネット結合の脱落を効果的に防止し得る撮像装置を提供することにある。
【００１２】
本発明の請求項１７の目的は、特に、撮像機能を備えた情報装置において、前記撮像機能を達成すべく被写体像を結像する撮像光学系を構成するレンズ鏡胴における衝撃によるバヨネット結合の脱落を効果的に防止し得る情報装置を提供することにある。
本発明の請求項１８の目的は、特に、結像光学系によって結像される光学像を電気信号に変換して入力する画像入力装置において、前記結像光学系を構成するレンズ鏡胴における衝撃によるバヨネット結合の脱落を効果的に防止し得る情報装置を提供することにある。
【課題を解決するための手段】
【００１３】
請求項１に記載した本発明に係るレンズ鏡胴は、上述した目的を達成するために、
固定筒と、
前記固定筒に対し軸線周りに回転可能に設けられている第１回転筒と、
前記第１回転筒の内周側に配置され、軸線方向については前記第１回転筒と一体的に移動し、且つ軸線の周りについては前記第１回転筒に対して相対的に回転する円筒形状の直進筒とを具備し、
前記直進筒は、
被写体側外周面に外方に突出する第１の突起、第２の突起および第３の突起を有し、
前記第１の突起と前記第２の突起は、前記直進筒の中心軸線を挟んで対向配置され、前記第３の突起は、前記第１の突起と前記第２の突起の間に配置されてなる前側突起群と、
前記直進筒の被写体側外周面における前記前側突起群よりも像面側に少なくとも、前記直進筒の外周面に、外方に突出する後側第１の突起および後側第２の突起を有し、
前記後側第１の突起と前記後側第２の突起の円周方向の幅は、前側突起群が有する前記第１の突起、前記第２の突起および前記第３の突起よりも２倍以上の幅を有し、
前記後側第１の突起と前記後側第２の突起は、前記直進筒の中心軸線を挟んで対向配置され、前記後側第１の突起は、前記直進筒の前方から見た場合に前記第１の突起と重なり、前記後側第２の突起は、前記直進筒の前方から見た場合に前記第２の突起と重なるように配置されてなる後側突起群とを備え、
前記第１の突起、前記第２の突起、前記第３の突起、前記後側第１の突起、前記後側第２の突起の前記直進筒から半径方向外側へ突起する寸法は同一であり、
前記第１回転筒は、内周面に、
前記直進筒の前記前側突起群の光軸方向位置に対応して円周方向に形成される第１の周溝部と、
前記直進筒の前記後側突起群の光軸方向位置に対応して円周方向に形成される第２の周溝部と、
前記前側突起群を挿入するために、後方より軸線と平行に延びて前記第１の周溝部に連通し、前記前側突起群の各突起に対応して形成される３つ以上の凹所を有する第１の案内部と、
前記後側突起群を挿入するために、後方より軸線と平行に延びて前記第２の周溝部に連通し、前記後側突起群の各突起に対応して形成される２つ以上の凹所を有する第２の案内部とを備えてなり、
前記第１の周溝部に前記前側突起群が導入され、前記第２の周溝部に前記後側突起群が導入されることにより前記第１回転筒と前記直進筒が結合されることを特徴としている。
【００１４】
請求項２に記載した本発明に係るレンズ鏡胴は、請求項１のレンズ鏡胴であって、
前記後側突起群は、前記直進筒の像面側端部近傍の同一円周上に配置されていることを特徴としている。
請求項３に記載した本発明に係るレンズ鏡胴は、請求項１のレンズ鏡胴であって、
前記後側突起群は、前記直進筒の前記前側突起群に比較的近い軸線方向中間部の同一円周上に配置されていることを特徴としている。
請求項４に記載した本発明に係るレンズ鏡胴は、請求項１のレンズ鏡胴であって、
前記直進筒の前記後側突起群は、
前記直進筒の前記前側突起群に比較的近い軸線方向中間部の同一円周上に配置されている２つ以上の突起を有する第１の後側突起群と、
前記直進筒の像面側端部近傍の同一円周上に配置されている２つ以上の突起を有する第２の後側突起群と
を有し、且つ
前記第１回転筒の内周面に形成される前記第２の周溝部は、
前記直進筒の前記後側突起群の前記第１の後側突起群の光軸方向位置に対応して円周方向に形成される第１の後側周溝と、
前記直進筒の前記後側突起群の前記第２の後側突起群の光軸方向位置に対応して円周方向に形成される第２の後側周溝と
を有することを特徴としている。
【００１５】
請求項５に記載した本発明に係るレンズ鏡胴は、請求項１〜請求項４のいずれか１項のレンズ鏡胴であって、
前記固定筒の内周側に前記第１回転筒および前記直進筒を沈胴収納して沈胴式とするレンズ鏡胴であって、
前記前側突起群および前記後側突起群を、前記第１回転筒の円周方向に形成した前記第１の周溝部および前記第２の周溝部に導入し且つ前記第１回転筒と前記直進筒とを所定角度相対回転した位置を組み付け位置とすることを特徴としている。
請求項６に記載した本発明に係るレンズ鏡胴は、請求項１〜請求項５のいずれか１項のレンズ鏡胴であって、
外周面に外方に突設されるピンを有して、前記直進筒の内周側に配置される第２回転筒をさらに備え、
前記直進筒は、
前記第２回転筒に突設される前記ピンに対応する貫通孔を有し、且つ
前記前側突起群の３つ以上の突起のうち少なくとも２つの突起は前記貫通孔と軸線方向において重ならない位置に設けられていることを特徴としている。
【００１６】
請求項７に記載した本発明に係るレンズ鏡胴は、請求項６のレンズ鏡胴であって、
前記第１回転筒と前記直進筒は、
前記第１回転筒と前記直進筒とを、前記組み付け位置から所定角度相対回転した位置が、前記第１回転筒、前記直進筒および前記第２回転筒が前記固定筒の内周側に収納された収納位置であり、
前記第１回転筒と前記直進筒とをさらに相対回転させることにより、前記第１回転筒、前記直進筒および前記第２回転筒が前記固定筒から前方に繰り出した撮影位置となることを特徴としている。
請求項８に記載した本発明に係るレンズ鏡胴は、請求項６または請求項７のレンズ鏡胴であって、
前記第２回転筒に突設されているピンは、前記直進筒に設けられる前記貫通孔を貫通し、前記第１回転筒の内周面に形成される軸線方向に沿う直進溝に係合して、前記第１回転筒の回転を前記第２回転筒に伝達するピンであることを特徴としている。
【００１７】
請求項９に記載した本発明に係るレンズ鏡胴は、請求項１〜請求項８のいずれか１項のレンズ鏡胴であって、
前記直進筒に設けられる前記前側突起群の各突起は、半径方向の高さ寸法が互いに等しいことを特徴としている。
請求項１０に記載した本発明に係るレンズ鏡胴は、請求項１〜請求項９のいずれか１項のレンズ鏡胴であって、
前記直進筒に設けられる前記後側突起群の各突起は、半径方向の高さ寸法が互いに等しいことを特徴としている。
請求項１１に記載した本発明に係るレンズ鏡胴は、請求項１〜請求項１０のいずれか１項のレンズ鏡胴であって、
前記直進筒に設けられる前記前側突起群および前記後側突起群の各突起は、半径方向の高さ寸法が互いに等しいことを特徴としている。
請求項１２に記載した本発明に係るレンズ鏡胴は、請求項１〜請求項１１のいずれか１項のレンズ鏡胴であって、
前記直進筒の前記後側突起群の各突起は、軸線方向の幅寸法が、前記前側突起群の各突起よりも広く、且つ
前記第１回転筒の前記第２の周溝部は、軸線方向の幅寸法が、前記第１の周溝部よりも広くなっていることを特徴としている。
【００１８】
請求項１３に記載した本発明に係るレンズ鏡胴は、請求項１〜請求項１２のいずれか１項のレンズ鏡胴であって、
前記直進筒の前記後側突起群の各突起は、円周方向の幅寸法が、前記前側突起群の各突起よりも広く、且つ
前記第１回転筒の前記第２の案内部の各凹所は、円周方向の幅寸法が、前記第１の案内部の各凹所よりも広くなっていることを特徴としている。
請求項１４に記載した本発明に係るレンズ鏡胴は、請求項１〜請求項１３のいずれか１項のレンズ鏡胴であって、
前記第１回転筒と前記直進筒の組み付け位置から収納位置までの前記第１回転筒と前記直進筒の相対回転角度をα、
前記第１回転筒と前記直進筒の収納位置から最も近い撮影位置までの前記第１回転筒と前記直進筒の相対回転角度をβ、
前記第１回転筒と前記直進筒の最も近い撮影位置から最も遠い撮影位置までの前記第１回転筒と前記直進筒の相対回転角度をγ、
とするとき、前記前側突起群の３つ以上の突起は、
前記前側突起群の第１の突起と、前記前側突起群の第２の突起は、前記直進筒の中心軸線を挟んで対向配置され、
前記前側突起群の前記第１の突起および前記第２の突起よりも円周方向の幅の広い前記前側突起群の第３の突起が、前記第１の突起から前記第１回転筒の回転方向においてα＋β未満の角度をずらして配置されていることを特徴としている。
【００１９】
請求項１５に記載した本発明に係るレンズ鏡胴は、請求項１４のレンズ鏡胴であって、
前記前側突起群の前記第１の突起よりも円周方向の幅の狭い第４の突起が、前記第２の突起から前記第１回転筒の回転方向について、α＋β＋γ以上の角度をずらして配置されていることを特徴としている。
請求項１６に記載した本発明に係る撮像装置は、
被写体像を結像するための撮像光学系を備えた撮像装置において、請求項１〜請求項１５のいずれか１項のレンズ鏡胴を用いて前記撮像光学系を構成してなることを特徴としている。
請求項１７に記載した本発明に係る情報装置は、
撮像機能を備えた情報装置において、前記撮像機能を達成すべく被写体像を結像する撮像光学系を、請求項１〜請求項１５のいずれか１項のレンズ鏡胴を用いて構成してなることを特徴としている。
請求項１８に記載した本発明に係る画像入力装置は、
結像光学系によって結像される光学像を電気信号に変換して入力する画像入力装置において、請求項１〜請求項１５のいずれか１項のレンズ鏡胴を用いて前記結像光学系を構成してなることを特徴としている。
【発明の効果】
【００２０】
本発明によれば、どのような繰り出し状態においてレンズ鏡胴に対し、落下時などの衝撃が加えられても、充分に強く、安定性も高いバヨネット結合を達成し得るレンズ鏡胴、そのようなレンズ鏡胴を用いる撮像装置、携帯型情報端末装置等のような情報装置および画像入力装置を提供することができる。
【００２１】
すなわち、本発明の請求項１のレンズ鏡胴によれば、
固定筒と、
前記固定筒に対し軸線周りに回転可能に設けられている第１回転筒と、
前記第１回転筒の内周側に配置され、軸線方向については前記第１回転筒と一体的に移動し、且つ軸線の周りについては前記第１回転筒に対して相対的に回転する円筒形状の直進筒とを具備し、
前記直進筒は、
被写体側外周面に外方に突出する第１の突起、第２の突起および第３の突起を有し、
前記第１の突起と前記第２の突起は、前記直進筒の中心軸線を挟んで対向配置され、前記第３の突起は、前記第１の突起と前記第２の突起の間に配置されてなる前側突起群と、
前記直進筒の被写体側外周面における前記前側突起群よりも像面側に少なくとも、前記直進筒の外周面に、外方に突出する後側第１の突起および後側第２の突起を有し、
前記後側第１の突起と前記後側第２の突起の円周方向の幅は、前側突起群が有する前記第１の突起、前記第２の突起および前記第３の突起よりも２倍以上の幅を有し、
前記後側第１の突起と前記後側第２の突起は、前記直進筒の中心軸線を挟んで対向配置され、前記後側第１の突起は、前記直進筒の前方から見た場合に前記第１の突起と重なり、前記後側第２の突起は、前記直進筒の前方から見た場合に前記第２の突起と重なるように配置されてなる後側突起群とを備え、
前記第１の突起、前記第２の突起、前記第３の突起、前記後側第１の突起、前記後側第２の突起の前記直進筒から半径方向外側へ突起する寸法は同一であり、
前記第１回転筒は、内周面に、
前記直進筒の前記前側突起群の光軸方向位置に対応して円周方向に形成される第１の周溝部と、
前記直進筒の前記後側突起群の光軸方向位置に対応して円周方向に形成される第２の周溝部と、
前記前側突起群を挿入するために、後方より軸線と平行に延びて前記第１の周溝部に連通し、前記前側突起群の各突起に対応して形成される３つ以上の凹所を有する第１の案内部と、
前記後側突起群を挿入するために、後方より軸線と平行に延びて前記第２の周溝部に連通し、前記後側突起群の各突起に対応して形成される２つ以上の凹所を有する第２の案内部とを備えてなり、
前記第１の周溝部に前記前側突起群が導入され、前記第２の周溝部に前記後側突起群が導入されることにより前記第１回転筒と前記直進筒が結合されることにより、
どのような繰り出し状態においてレンズ鏡胴に対し、落下時などの衝撃が加えられても、充分に強く、安定性の高いバヨネット結合を達成し得るレンズ鏡胴を提供することができる。
【００２２】
また、本発明の請求項２のレンズ鏡胴によれば、請求項１のレンズ鏡胴において、
前記後側突起群は、前記直進筒の像面側端部近傍の同一円周上に配置されていることにより、
特に、追加するバヨネット結合の位置を直進筒が最繰り出し位置にあるときの固定筒の先端部に対応する箇所として、鏡筒が最繰り出し位置にあってもバヨネット結合の脱落を効果的に防止することが可能となる。
本発明の請求項３のレンズ鏡胴によれば、請求項１のレンズ鏡胴において、
前記後側突起群は、前記直進筒の前記前側突起群に比較的近い軸線方向中間部の同一円周上に配置されていることにより、
特に、追加するバヨネット結合の位置を直進筒が起動位置にあるときの固定筒の先端部に対応する箇所として、起動中においてもバヨネット結合の脱落を効果的に防止することが可能となる。
【００２３】
本発明の請求項４のレンズ鏡胴によれば、請求項１のレンズ鏡胴において、
前記直進筒の前記後側突起群は、
前記直進筒の前記前側突起群に比較的近い軸線方向中間部の同一円周上に配置されている２つ以上の突起を有する第１の後側突起群と、
前記直進筒の像面側端部近傍の同一円周上に配置されている２つ以上の突起を有する第２の後側突起群と
を有し、且つ
前記第１回転筒の内周面に形成される前記第２の周溝部は、
前記直進筒の前記後側突起群の前記第１の後側突起群の光軸方向位置に対応して円周方向に形成される第１の後側周溝と、
前記直進筒の前記後側突起群の前記第２の後側突起群の光軸方向位置に対応して円周方向に形成される第２の後側周溝と
を有することにより、
特に、追加するバヨネット結合の位置を直進筒が最繰り出し位置および起動位置にあるときの固定筒の先端部にそれぞれ対応する箇所として、最繰り出し位置においても、起動中においてもバヨネット結合の脱落を最大限に防止することが可能となる。
【００２４】
本発明の請求項５のレンズ鏡胴によれば、請求項１〜請求項４のいずれか１項のレンズ鏡胴において、
前記固定筒の内周側に前記第１回転筒および前記直進筒を沈胴収納して沈胴式とするレンズ鏡胴であって、
前記前側突起群および前記後側突起群を、前記第１回転筒の円周方向に形成した前記第１の周溝部および前記第２の周溝部に導入し且つ前記第１回転筒と前記直進筒とを所定角度相対回転した位置を組み付け位置とすることにより、
特に、組み付け位置において突起と凹所および円周溝とのバヨネット式の嵌合が確実になされた状態として、どのような繰り出し状態におけるレンズ鏡胴への衝撃に対しても、バヨネット結合の脱落をさらに効果的に防止することができる。
【００２５】
本発明の請求項６のレンズ鏡胴によれば、請求項１〜請求項５のいずれか１項のレンズ鏡胴において、
外周面に外方に突設されるピンを有して、前記直進筒の内周側に配置される第２回転筒をさらに備え、
前記直進筒は、
前記第２回転筒に突設される前記ピンに対応する貫通孔を有し、且つ
前記前側突起群の３つ以上の突起のうち少なくとも２つの突起は前記貫通孔と軸線方向において重ならない位置に設けられていることにより、
特に、第１回転筒の内周側に配置される直進筒のさらに内周側に第２回転筒が配置されたレンズ鏡胴において、耐衝撃性を向上し、衝撃によるバヨネット結合の脱落をより効果的に防止することができる。
【００２６】
本発明の請求項７のレンズ鏡胴によれば、請求項６のレンズ鏡胴において、
前記第１回転筒と前記直進筒は、
前記第１回転筒と前記直進筒とを、前記組み付け位置から所定角度相対回転した位置が、前記第１回転筒、前記直進筒および前記第２回転筒が前記固定筒の内周側に収納された収納位置であり、
前記第１回転筒と前記直進筒とをさらに相対回転させることにより、前記第１回転筒、前記直進筒および前記第２回転筒が前記固定筒から前方に繰り出した撮影位置となることにより、
特に、第１回転筒の内周側に配置される直進筒のさらに内周側に第２回転筒が配置されたレンズ鏡胴において、衝撃によるバヨネット結合の脱落を一層効果的に防止することができる。
本発明の請求項８のレンズ鏡胴によれば、請求項６または請求項７のレンズ鏡胴において、
前記第２回転筒に突設されているピンは、前記直進筒に設けられる前記貫通孔を貫通し、前記第１回転筒の内周面に形成される軸線方向に沿う直進溝に係合して、前記第１回転筒の回転を前記第２回転筒に伝達するピンであることにより、
特に、第１回転筒の内周側に配置される直進筒のさらに内周側に、前記第１回転筒に対し円周方向については共に回転し軸線方向については相対的に移動する第２回転筒が配置されたレンズ鏡胴において、衝撃によるバヨネット結合脱落を効果的に防止することができる。
【００２７】
本発明の請求項９のレンズ鏡胴によれば、請求項１〜請求項８のいずれか１項のレンズ鏡胴において、
前記直進筒に設けられる前記前側突起群の各突起は、半径方向の高さ寸法が互いに等しいことにより、
また、本発明の請求項１０のレンズ鏡胴によれば、請求項１〜請求項９のいずれか１項のレンズ鏡胴において、
前記直進筒に設けられる前記後側突起群の各突起は、半径方向の高さ寸法が互いに等しいことにより、
そして、本発明の請求項１１のレンズ鏡胴によれば、請求項１〜請求項１０のいずれか１項のレンズ鏡胴において、
前記直進筒に設けられる前記前側突起群および前記後側突起群の各突起は、半径方向の高さ寸法が互いに等しいことにより、
特に、直径寸法をいたずらに増大させることなく、バヨネット結合が確実になされ、どのような繰り出し状態における衝撃に対しても、バヨネット結合の脱落を効果的に防止することができる。
【００２８】
本発明の請求項１２のレンズ鏡胴によれば、請求項１〜請求項１１のいずれか１項のレンズ鏡胴において、
前記直進筒の前記後側突起群の各突起は、軸線方向の幅寸法が、前記前側突起群の各突起よりも広く、且つ
前記第１回転筒の前記第２の周溝部は、軸線方向の幅寸法が、前記第１の周溝部よりも広くなっていることにより、
特に、バヨネット結合がより確実になされ、どのような繰り出し状態における衝撃に対しても、バヨネット結合の脱落をより効果的に防止することができる。
本発明の請求項１３のレンズ鏡胴によれば、請求項１〜請求項１２のいずれか１項のレンズ鏡胴において、
前記直進筒の前記後側突起群の各突起は、円周方向の幅寸法が、前記前側突起群の各突起よりも広く、且つ
前記第１回転筒の前記第２の案内部の各凹所は、円周方向の幅寸法が、前記第１の案内部の各凹所よりも広くなっていることにより、
特に、バヨネット結合がより一層確実になされ、どのような繰り出し状態における衝撃に対しても、バヨネット結合の脱落をより一層効果的に防止することができる。
【００２９】
本発明の請求項１４のレンズ鏡胴によれば、請求項１〜請求項１３のいずれか１項のレンズ鏡胴において、
前記第１回転筒と前記直進筒の組み付け位置から収納位置までの前記第１回転筒と前記直進筒の相対回転角度をα、
前記第１回転筒と前記直進筒の収納位置から最も近い撮影位置までの前記第１回転筒と前記直進筒の相対回転角度をβ、
前記第１回転筒と前記直進筒の最も近い撮影位置から最も遠い撮影位置までの前記第１回転筒と前記直進筒の相対回転角度をγ、
とするとき、前記前側突起群の３つ以上の突起は、
前記前側突起群の第１の突起と、前記前側突起群の第２の突起は円周方向に１８０°の間隔で配置され、
前記前側突起群の前記第１の突起および前記第２の突起よりも円周方向の幅の広い前記前側突起群の第３の突起が、前記第１の突起から前記第１回転筒の回転方向においてα＋β未満の角度をずらして配置されていることにより、
特に、バヨネット結合がさらに確実になされ、どのような繰り出し状態における衝撃に対しても、バヨネット結合の脱落をさらに効果的に防止することができる。
【００３０】
本発明の請求項１５のレンズ鏡胴によれば、請求項１４のレンズ鏡胴において、
前記前側突起群の前記第１の突起よりも円周方向の幅の狭い第４の突起が、前記第２の突起から前記第１回転筒の回転方向について、α＋β＋γ以上の角度をずらして配置されていることにより、
特に、バヨネット結合がさらに一層確実になされ、どのような繰り出し状態における衝撃に対しても、バヨネット結合の脱落をさらに一層効果的に防止することができる。
【００３１】
本発明の請求項１６の撮像装置によれば、
被写体像を結像するための撮像光学系を備えた撮像装置において、請求項１〜請求項１５のいずれか１項のレンズ鏡胴を用いて前記撮像光学系を構成してなることにより、
特に、被写体像を結像するための撮像光学系を備えた撮像装置において、前記撮像光学系を構成するレンズ鏡胴における衝撃によるバヨネット結合の脱落を効果的に防止することができる。
【００３２】
本発明の請求項１７の情報装置によれば、
撮像機能を備えた情報装置において、前記撮像機能を達成すべく被写体像を結像する撮像光学系を、請求項１〜請求項１５のいずれか１項のレンズ鏡胴を用いて構成してなることにより、
特に、撮像機能を備えた情報装置において、前記撮像機能を達成すべく被写体像を結像する撮像光学系を構成するレンズ鏡胴における衝撃によるバヨネット結合の脱落を効果的に防止することができる。
本発明の請求項１８の画像入力装置によれば、
結像光学系によって結像される光学像を電気信号に変換して入力する画像入力装置において、請求項１〜請求項１５のいずれか１項のレンズ鏡胴を用いて前記結像光学系を構成してなることにより、
特に、結像光学系によって結像される光学像を電気信号に変換して入力する画像入力装置において、前記結像光学系を構成するレンズ鏡胴における衝撃によるバヨネット結合の脱落を効果的に防止することができる。
【図面の簡単な説明】
【００３３】
【図１】本発明の第１の実施の形態に係るレンズ鏡胴の各鏡筒が収納位置にある状態での要部の外観構成を模式的に示す斜視図である。
【図２】図１のレンズ鏡胴の各鏡筒が撮影開始時の起動位置にある状態での要部の外観構成を模式的に示す斜視図である。
【図３】図１のレンズ鏡胴の各鏡筒が撮影時の最繰り出し位置にある状態での要部の外観構成を模式的に示す斜視図である。
【図４】本発明の第１の実施の形態に係るレンズ鏡胴の各鏡筒が図１に相当する収納位置にある状態での要部の構成を模式的に示す縦断面図である。
【図５】図４のレンズ鏡胴の各鏡筒が図２に相当する撮影開始時の起動位置にある状態での要部の構成を模式的に示す縦断面図である。
【図６】図４のレンズ鏡胴の各鏡筒が図３に相当する撮影時の最繰り出し位置にある状態での要部の構成を模式的に示す縦断面図である。
【図７】図４のレンズ鏡胴の要部の構成を模式的に示す分解斜視図である。
【図８】図４のレンズ鏡胴における直進筒の外周面の形態を模式的に示す展開図である。
【図９】図４のレンズ鏡胴における第１回転筒の内周面の形態を模式的に示す展開図である。
【図１０】図４のレンズ鏡胴のバヨネット嵌合の様子を説明するため組付け位置における直進筒および第１回転筒の要部の構成を、相互の位置関係の理解を容易にするために、前端被写体寄りの部分を内側とし、後端像面寄りの部分を外側として、模式的に示す横断面図である。
【図１１】図４のレンズ鏡胴のバヨネット嵌合の様子を説明するために、収納位置における直進筒および第１回転筒の要部の構成を、相互の位置関係の理解を容易にするために、前端被写体寄りの部分を内側とし、後端像面寄りの部分を外側として、模式的に示す横断面図である。
【図１２】図４のレンズ鏡胴のバヨネット嵌合の様子を説明するために、収納位置と起動位置との間における直進筒および第１回転筒の要部の構成を、相互の位置関係の理解を容易にするために、前端被写体寄りの部分を内側とし、後端像面寄りの部分を外側として、模式的に示す横断面図である。
【図１３】図４のレンズ鏡胴のバヨネット嵌合の様子を説明するために、起動位置における直進筒および第１回転筒の要部の構成を、相互の位置関係の理解を容易にするために、前端被写体寄りの部分を内側とし、後端像面寄りの部分を外側として、模式的に示す横断面図である。
【図１４】図４のレンズ鏡胴のバヨネット嵌合の様子を説明するために、最繰り出し位置における直進筒および第１回転筒の要部の構成を、相互の位置関係の理解を容易にするために、前端被写体寄りの部分を内側とし、後端像面寄りの部分を外側として、模式的に示す横断面図である。
【図１５】本発明の第２の実施の形態に係るレンズ鏡胴の各鏡筒が図１に相当する収納位置にある状態での要部の構成を模式的に示す縦断面図である。
【図１６】図１５のレンズ鏡胴の各鏡筒が図２に相当する撮影開始時の起動位置にある状態での要部の構成を模式的に示す縦断面図である。
【図１７】図１５のレンズ鏡胴の各鏡筒が図３に相当する撮影時の最繰り出し位置にある状態での要部の構成を模式的に示す縦断面図である。
【図１８】図１５のレンズ鏡胴の要部の構成を模式的に示す分解斜視図である。
【図１９】図１５のレンズ鏡胴における直進筒の外周面の形態を模式的に示す展開図である。
【図２０】図１５のレンズ鏡胴における第１回転筒の内周面の形態を模式的に示す展開図である。
【図２１】本発明の第３の実施の形態に係るレンズ鏡胴の各鏡筒が図１に相当する収納位置にある状態での要部の構成を模式的に示す縦断面図である。
【図２２】図２１のレンズ鏡胴の各鏡筒が図２に相当する撮影開始時の起動位置にある状態での要部の構成を模式的に示す縦断面図である。
【図２３】図２１のレンズ鏡胴の各鏡筒が図３に相当する撮影時の最繰り出し位置にある状態での要部の構成を模式的に示す縦断面図である。
【図２４】図２１のレンズ鏡胴の要部の構成を模式的に示す分解斜視図である。
【図２５】図２１のレンズ鏡胴における直進筒の外周面の形態を模式的に示す展開図である。
【図２６】図２１のレンズ鏡胴における第１回転筒の内周面の形態を模式的に示す展開図である。
【発明を実施するための形態】
【００３４】
〔第１の実施の形態〕
以下、本発明に係る実施の形態に基づき、図面を参照して本発明のレンズ鏡胴を詳細に説明する。
図１〜図１４は、本発明の第１の実施の形態に係るレンズ鏡胴の要部の構成を示している。図１〜図３は、本発明の第１〜第３の各実施の形態に共通の構成を示しており、図１は、本発明の実施の形態に係るレンズ鏡胴の各鏡筒が収納位置にある状態での要部の外観構成を模式的に示す斜視図、図２は、レンズ鏡胴の各鏡筒が撮影開始時の起動位置にある状態での要部の外観構成を模式的に示す斜視図、そして図３は、レンズ鏡胴の各鏡筒が撮影時の最繰り出し位置にある状態での要部の外観構成を模式的に示す斜視図である。図４〜図９は、本発明の第１の実施の形態に特有の構成を示している。図４は、本発明の第１の実施の形態に係るレンズ鏡胴の各鏡筒が図１に相当する収納位置にある状態での要部の構成を模式的に示す縦断面図、図５は、レンズ鏡胴の各鏡筒が図２に相当する撮影開始時の起動位置にある状態での要部の構成を模式的に示す縦断面図、そして図６は、レンズ鏡胴の各鏡筒が図３に相当する撮影時の最繰り出し位置にある状態での要部の構成を模式的に示す縦断面図である。また、図７は、この第１の実施の形態に係るレンズ鏡胴の要部の構成を模式的に示す分解斜視図である。さらに、図８は、この第１の実施の形態に係るレンズ鏡胴における直進筒の外周面の形態を模式的に示す展開図、そして図９は、レンズ鏡胴における第１回転筒の内周面の形態を模式的に示す展開図である。
【００３５】
図１０〜図１４は、本発明の第１の各実施の形態に係るレンズ鏡胴のバヨネット嵌合の様子を説明するために、各状態における要部の円周方向の位置関係を模式的に示す横断面図であり、直進筒および第１の回転筒の要部の相互の位置関係の理解を容易にするために、前端被写体寄りの部分を内側とし、後端像面寄りの部分を外側として、模式的に示している。このため、直進筒および第１の回転筒のそれぞれの前端被写体寄りの部分よりも後端像面寄りの部分を大径として示しているが、実際には、直進筒および第１の回転筒のいずれについても前端被写体寄りの部分と後端像面寄りの部分とは同径であることは言うまでもない。これらの位置関係は、他の第２および第３の実施の形態においても実質的に同様である。すなわち、図１０は、組付け位置、図１１は、収納位置、図１２は、収納位置と起動位置との間、図１３は、起動位置、そして図１４は、最繰り出し位置における位置関係をそれぞれ示している。
【００３６】
図１〜図９に示すレンズ鏡胴は、固定筒１、第１回転筒２、直進筒３および第２回転筒４を具備している。固定筒１には、内周面に、ヘリコイド１１および直進溝１２が形成されている。第１回転筒２には、内周面に、第１の案内部（２１）を構成する凹所２１−１〜２１−４、第２の案内部（２２）を構成する凹所２２−１，２２−２、直進溝部２３を構成する２つの直進溝２３、第１の周溝部２４および第２の周溝部２５が形成され、後端部（結像面側端部）の外周面に、ヘリコイド２６およびラック２７が形成されている。直進筒３には、前端側（被写体側）の外周面に、前側突起群３１を構成する突起３１−１〜３１−４が形成され、後端側（結像面側）の外周面に、後側突起群３２を構成する突起３２−１，３２−２が形成され、後端部（結像面側端部）の外周面に突起３３が形成され、内周面には、ヘリコイド３４が形成され、そして内外周に貫通して、逃げ溝としての貫通溝３５が形成されている。第２回転筒４には、後端部（結像面側端部）の外周面に適宜個数のヘリコイド４１および２本のピン４２が形成されている。
【００３７】
図１〜図９において、固定筒１は、図示していないベース部材に固定されている。固定筒１の内周側には、その後端側（結像面側、すなわち図４〜図６における図示右端側）から円筒形状の第１回転筒２が嵌挿され、さらに第１回転筒２の内周側には、その後端側（結像面側：図４〜図６における図示右端側）から円筒形状の直進筒３が嵌挿されている。固定筒１と直進筒３は、後に詳述するように、いわゆるバヨネット結合によって結合されている。固定筒１の内周面には、比較的ピッチの大きい雌型のヘリコイド１１が形成されるとともに、軸線と平行に直進溝１２が適宜複数個所に形成されている。ヘリコイド１１には、第１回転筒２の後端部外周に突出して形成された雄型のヘリコイド２６が係合している。ヘリコイド２６は、図７に示すように、ごく短いヘリコイドで、第１回転筒２の円周方向の複数個所に突出形成されている。
第１回転筒２の後端部（結像面側端部：図４〜図６における図示右端側端部）の外周には、ヘリコイド２６を円周方向に囲むようにしてラック２７が形成されている。このラック２７には、図示していないモータによって回転駆動される図示していないピニオンが噛合している。
【００３８】
したがって、前記ピニオンが前記モータによって回転駆動されると、ラック２７を介して第１回転筒２が回転駆動され、雄型のヘリコイド２６が雌型のヘリコイド１１に案内されて、第１回転筒２が固定筒１内において軸線周りに回転しながら軸線方向（光軸方向）に沿って前後に進退移動する。前記ピニオンは、第１回転筒２が進退移動してもラック２７との噛合が外れることがないように、軸方向の寸法が、第１回転筒２の移動範囲をカバーするように長くなっている。
直進筒３は、後端部（結像面側端部：図４〜図６における図示右端側端部）の外周に、外側に向かって半径方向に突出する複数個の突起３３を有していて、これらの突起３３は固定筒１の直進溝１２に係合している。したがって、直進筒３は直進溝１２にガイドされて軸線に沿う方向に直進移動し、軸線の周りに回転することはできない。
【００３９】
第１回転筒２の内周面には、案内部を構成する複数個の凹所が、それぞれ光軸と平行に形成されている。
すなわち、この第１の実施の形態においては、図７および図９、さらには、図１０〜図１４、に示すように、後端側から光軸と平行に延びる第１の凹所２１−１、第２の凹所２１−２、第３の凹所２１−３および第４の凹所２１−４からなる４つの凹所を形成して、第１の案内部２１を構成している。第１の案内部２１を構成するこれらの第１〜第４の凹所２１−１〜２１−４は、その前端部において第１回転筒２の円周方向に形成されている第１の周溝部２４に連通している。第１の周溝部２４は、第１回転筒２の前端部近傍に配置されている。
【００４０】
また、第１の案内部２１の後方には、後端側から光軸と平行に延びる第１の凹所２２−１および第２の凹所２２−２からなる２つの凹所を形成して、第２の案内部２２を構成している。この場合、第２の案内部２２を構成する第１の凹所２２−１および第２の凹所２２−２は、第１の案内部２１の第１〜第４の凹所２１−１〜２１−４よりも円周方向に充分に広い幅を有し、それぞれの幅内において第１の案内部２１の第１の凹所２１−１および第２の凹所２１−２に連通している。第２の案内部２２を構成するこれら第１の凹所２２−１および第２の凹所２２−２は、その前端部において第１回転筒２の円周方向に形成された第２の周溝部２５に連通している。第２の周溝部２５は、第１回転筒２の後端部近傍に配置されている。
つまり、第１の案内部２１の第１〜第４の凹所２１−１〜２１−４のうちの第１の案内部２１の第１の凹所２１−１および第２の凹所２１−２の円周方向の幅位置は、第２の案内部２２を構成する第１の凹所２２−１および第２の凹所２２−２の円周方向の幅内に設定されており、第１回転筒２の内周面に後端から前方に向かって第２の案内部２２の第１の凹所２２−１および第２の凹所２２−２が延び、その前端に第２の周溝部２５が形成されるとともに、これら第１の凹所２２−１および第２の凹所２２−２の各前端縁の一部からさらに前方に向かって、それぞれ第１の案内部２１の第１の凹所２１−１および第２の凹所２１−２が延び、それらの前端に第１の周溝部２４が形成されている。
【００４１】
また、第１の案内部２１の第１〜第４の凹所２１−１〜２１−４のうちの第１の案内部２１の第３の凹所２１−３および第４の凹所２１−４は、第１回転筒２の内周面に後端から前方に向かって延び、それらの前端に第１の周溝部２４が形成されている。
さらに、第１回転筒２の内周面には、後に詳述する第２回転筒４のピン４２が係合する２本の直進溝２３が、上述した各凹所の位置を避けて光軸と平行に形成されている。
図７および図８、さらには、図１０〜図１４、に示すように、直進筒３の前端部外周面には、第１の案内部２１の第１の凹所２１−１、第２の凹所２１−２、第３の凹所２１−３および第４の凹所２１−４にそれぞれ対応し且つ第１の周溝部２４に対応する第１の突起３１−１、第２の突起３１−２、第３の突起３１−３および第４の突起３１−４からなる前側突起群３１が形成されている。すなわち、これら前側突起群３１を構成する第１〜第４の突起３１−１〜３１−４は、各々第１の案内部２１の第１〜第４の凹所２１−１〜２１−４の円周方向の幅に応じた円周方向の幅を有し且つ第１の周溝部２４の光軸方向の幅に応じた光軸方向の幅を有しており、第１の案内部２１の第１〜第４の凹所２１−１〜２１−４および第１の周溝部２４に収まりそれらによって案内されるように形成されている。
【００４２】
直進筒３の後端部外周面には、この場合、前側突起群３１の第１の突起３１−１および第２の突起３１−２の後方に、第２の案内部２２の第１の凹所２２−１および第２の凹所２２−２にそれぞれ対応し且つ第２の周溝部２５に対応する第１の突起３２−１および第２の突起３２−２からなる後側突起群３２が形成されている。すなわち、これら後側突起群３２を構成する第１の突起３２−１および第２の突起３２−２は、各々第２の案内部２２の第１の凹所２２−１および第２の凹所２２−２の円周方向の幅に応じた円周方向の幅を有し且つ第２の周溝部２５の光軸方向の幅に応じた光軸方向の幅を有しており、第２の案内部２２の第１の凹所２２−１および第２の凹所２２−２、並びに第２の周溝部２５に収まりそれらによって案内されるように形成されている。
ここで、前側突起群３１の第１の突起３１−１および第２の突起３１−２と区別するために、後側突起群３２の第１の突起３２−１を、「後側第１の突起」と称し、第２の突起３２−２を「後側第２の突起」と読み替える場合がある。
なお、直進筒３の前記後側突起群３２の各突起３２−１、３２−２は、軸線方向の幅寸法（厚さ寸法が）が、例えば、図８、図１９等に見られるように、前側突起群３１の各突起３１−１〜３１−４よりも広く（厚く）、且つ第１回転筒２の第２の周溝部２５は、軸線方向の幅寸法が、例えば、図４、図５、図９、図２０等に見られるように、明らかに第１の周溝部２４よりも広くなっている。
図１０〜図１４に示すように、前側突起群３１を構成する第１〜第４の突起３１−１〜３１−４および後側突起群３２を構成する第１の突起３２−１および第２の突起３２−２の高さ、すなわち直進筒３の本体から半径方向外側への突出寸法は同一となっている。これらの突起群の突起は、それぞれの突起に対応して設けられた案内部の凹所に沿って光軸方向に挿入されたあと、第１回転筒２と直進筒３が光軸周りに相対回転されることにより、各突起が各凹所の前端に続く円周方向の周溝部に導入される。
【００４３】
したがって、直進筒３は、前側突起群３１の各突起３１−１〜３１−４が円周方向の第１の周溝部２４に、そして後側突起群３２の各突起３２−１および３２−２が円周方向の第２の周溝部２５に、それぞれ嵌合することによって、第１回転筒２と一体的に光軸方向に移動するようになっており、また、光軸周りには、第１回転筒２に対して相対回転可能となっている。この第１回転筒２と直進筒３の結合構造は、バヨネット結合構造の一種である。また、直進筒３の内周面には雌型のヘリコイド３４が形成されている。
第１回転筒２の内周側には、第２回転筒４が嵌挿されている。図７に示すように、第２回転筒４の後端部外周面には、雄型のヘリコイド４１が形成され、このヘリコイド４１が形成された部分の一部に適宜数の円柱状のピン４２が突設されている。図５および図６に示すように、ヘリコイド４１は、直進筒３のヘリコイド３４に係合し、ピン４２は、直進筒３の周壁に形成された逃げ溝としての貫通溝３５を貫通して第１回転筒２の直進溝２３（図９参照）に係合している。この直進溝２３は、第１回転筒２の回転を、ピン４２を介して第２回転筒４に伝達するとともに、第１回転筒２に対する第２回転筒４の光軸方向への相対移動を許容するように作用している。
【００４４】
すなわち、第１回転筒２が光軸周りに回転すると、この回転が直進溝２３からピン４２に伝えられ、第２回転筒４が第１回転筒２と共に光軸周りに回転する。直進筒３に対して第２回転筒４が回転することにより、ヘリコイド４１と直進筒３のヘリコイド３４との係合によって第２回転筒４が光軸方向に沿って進退移動する。ピン４２は、第２回転筒４の回転によりヘリコイド３４および４１のピッチに対応して回転しつつ移動するので、ピン４２が直進筒３と干渉しないように、貫通溝３５は、ヘリコイド３４および４１のピッチと同じピッチで、且つピン４２から離間するようにピン４２の直径よりいくらか幅広に形成されている。
第２回転筒４の内周面には、図示していないが、適宜個数のカム溝が形成されている。第２回転筒４の内周側には、レンズ保持筒が組み込まれ、レンズ保持筒のさらに内周側には直進筒３に類似する筒状の第２の直進筒が組み込まれている。前記レンズ保持筒は、例えば第１レンズ群を保持していて、第２回転筒４の回転により第１レンズ群と共に光軸方向に移動する。前記第２の直進筒の内周側には、例えば第２レンズ群を保持するレンズ保持枠が組み込まれ、第２レンズ群は、第２直進筒の光軸方向への移動に伴い、適宜なるカム溝に案内されて光軸方向に移動するようになっている。但し、本発明は、レンズ枠の移動機構を要旨とするものではないから、その詳細な説明は省略する。
【００４５】
上述したレンズ鏡胴は、例えば、沈胴式のズームレンズに適用することができる。そこで、上述のレンズ鏡胴を用いて沈胴式ズームレンズを構成した場合における、各構成部材を固定筒１の内周に後退させて収納した収納状態から、固定枠１から各部材を撮影可能な状態まで繰り出す動作、さらに、収納位置から最も近い撮影位置（例えば広角端）から最も遠い撮影位置（例えば望遠端）までの動作について説明する。
上述したようなモータの駆動によって、第１回転筒２が回転駆動されると、第１回転筒２は、そのヘリコイド２６が固定筒１のヘリコイド１１に案内されて光軸方向に移動する。第１回転筒２の内周側に嵌挿されている直進筒３は、その突起３３が固定筒１の直進溝１２に係合し、また、前側突起群３１の４つの突起３１−１〜３１−４が、第１回転筒２の円周方向の第１の周溝部２４に係合し、後側突起群３２の２つの突起３２−１および３２−２が第１回転筒２の円周方向の第２の周溝部２５に係合しているため、光軸周りに回転することなく、第１回転筒２の光軸方向への移動に伴って光軸方向に移動する。第１回転筒２の内周面に形成されている直進溝２３に、第２回転筒４に突設され且つ直進筒３の貫通溝３５を貫通しているピン４２が係合しているため、第１回転筒２が回転することにより、この回転が第２回転筒４に伝達され、第２回転筒４も光軸周りに回転する。第２回転筒４が回転すると、そのヘリコイド４１と直進筒３のヘリコイド３４との係合により第２回転筒４は光軸方向に進退する。
【００４６】
図１および図４は、第１回転筒２、直進筒３および第２回転筒４が繰り込まれて後退し、固定筒１の内周側に沈胴収納された収納位置にある状態を示している。図２および図５は、第１回転筒２および直進筒３が固定筒１から繰り出され、さらに直進筒３から第２回転筒４が繰り出されて、収納位置から最も近い撮影位置（例えば広角端）、すなわち起動位置、に至った状態を示している。
図３および図６は、第１回転筒２および直進筒３が固定筒１からさらに繰り出され、さらに直進筒３から第２回転筒４が繰り出されて、収納位置から最も遠い撮影位置（例えば望遠端）、すなわち最繰り出し位置に至った状態を示している。
本発明に係るレンズ鏡胴の構成における主たる特徴は、上述したように構成されたレンズ鏡胴において、回転筒と、光軸方向には回転筒と一体的に移動し、光軸周りには回転筒と相対回転する直進筒との結合構造にある。以下、この結合構造について具体的に説明する。
【００４７】
上述したように、第１回転筒２と直進筒３は、直進筒３の４つの突起３１−１〜３１−４からなる前側突起群３１と、第１回転筒２の第１の案内部２１の第１〜第４の凹所２１−１〜２１−４を経由した円周方向の第１の周溝部２４との係合、並びに直進筒３の２つの突起３２−１および３２−２からなる後側突起群３２と、第１回転筒２の第２の案内部２２の第１の凹所２２−１および第２の凹所２２−２を経由した円周方向の第２の周溝部２５との係合によって結合される。この結合は、直進筒３の前側突起群３１の４つの突起３１−１〜３１−４を、それぞれ第１回転筒２の第１の案内部２１の第１〜第４の凹所２１−１〜２１−４に沿って挿入するとともに、直進筒３の後側突起群３２の２つの突起３２−１および３２−２を、それぞれ第１回転筒２の第２の案内部２２の第１の凹所２２−１および第２の凹所２２−２に沿って挿入し、この挿入の終端位置で、第１回転筒２を直進筒３に対して図１０〜図１４における時計方向に相対回転させることによって、直進筒３の前側突起群３１の４つの突起３１−１〜３１−４を、第１回転筒２の円周方向の第１の周溝部２４に係合させ、同時に、直進筒３の後側突起群３２の２つの突起３２−１および３２−２を、第１回転筒２の円周方向の第２の周溝部２５に係合させることによって行われる。
【００４８】
図１０は、直進筒３の前側突起群３１の４つの突起３１−１〜３１−４を、それぞれ第１回転筒２の第１の案内部２１の第１〜第４の凹所２１−１〜２１−４に沿って挿入し、且つ直進筒３の後側突起群３２の２つの突起３２−１および３２−２を、それぞれ第１回転筒２の第２の案内部２２の第１の凹所２２−１および第２の凹所２２−２に沿って挿入している組付け位置における状態を示している。
図１０に示すように、直進筒３の前側突起群３１において、第１の突起３１−１と第２の突起３１−２は、直進筒３の中心軸線つまり光軸を挟んで対向配置されている。そして、第３の突起３１−３は、第１の突起３１−１の位置に対して時計方向に９０°未満の、例えば３９°程度の回転角度位置に配置されている。直進筒３の中心軸線に対する第１の突起３１−１と第３の突起３１−３との開き角度をＡとする。第４の突起３１−４は、第１の突起３１−１の配置位置に対して反時計方向に９０°未満で且つ角度Ａよりも大きい角度で回転した位置に配置されている。直進筒３の中心軸線に対する第２の突起３１−２と第４の突起３１−４の開き角度をＢとすると、角度Ｂは角度Ａよりも大きく１２９°程度になっている。
【００４９】
第１の突起３１−１の円周方向の幅は、第２の突起３１−２と第３の突起３１−３の円周方向の幅よりも小さく、第４の突起３１−４の円周方向の幅よりも大きくなっている。図示の構成のように、２個一対の突起、すなわち第１の突起３１−１と第２の突起３１−２を直進筒３の中心軸線、つまり光軸を挟んで対向配置するとともに、これらの突起３１−１および３１−２の円周方向の幅を例えば３０°程度に作成すれば、落下時などの衝撃に対しては強くなる。しかしながら、突起が２つだけでは、第１回転筒２と直進筒３の相互の平行度を保つことは難しい。そこで、上述した２個一対の突起３１−１および３１−２に加えて、これらの突起３１−１および３１−２からそれぞれ円周方向に９０°ずれた位置に幅の小さな突起を配置することが考えられる。しかしながら、第１回転筒２と直進筒３が相対的に９０°回転するごとに、幅の小さい突起が第１の案内部２１の幅の大きい凹所に対向することになって突起と凹所の嵌合が外れ易く、不安定となる。
そこで、本発明においては、まず、直進筒３に配置する２個一対の第１の突起３１−１と第２の突起３１−２を例えば１６９°間隔、で形成して、落下時などの衝撃に対する強度を確保している。これに加えて、第３の突起３１−３および第４の突起３１−４を設け、第３の突起３１−３を第１の突起３１−１から９０°よりも小さい角度Ａ（例えば、３９°）だけ離れた位置に配置し、第４の突起３１−４を第１の突起３１−１から第３の突起３１−３とは反対向きに角度Ａよりも大きく且つ９０°よりも小さい角度だけ離れた位置、すなわち第２の突起３１−２から９０°よりも大きい角度Ｂ（例えば１２９°）だけ離れた位置、に配置している。
【００５０】
さらに、本発明においては、上述した直進筒３の被写体側前端部に設けられた前側突起群３１に加えて、直進筒３の結像面側後端部に後側突起群３２の第１の突起３２−１および第２の突起３２−２を形成している。これら後側突起群３２の第１の突起３２−１および第２の突起３２−２は、それぞれ前側突起群３１の第１の突起３１−１および第２の突起３１−２の後方に、直進筒３の中心軸線を挟んで対向配置されている。これら後側突起群３２の第１の突起３２−１と第２の突起３２−２の円周方向の幅は、前側突起群３１の各突起３１−１〜３１−４よりも充分に広く、例えば前側突起群３１の各突起３１−１〜３１−４の２倍以上の角度幅（例えば、４０°程度）を有している。この実施の形態においては、前側突起群３１の第１の突起３１−１および第２の突起３１−２が、後側突起群３２の第１の突起３２−１および第２の突起３２−２の各角度幅内に収まっている。
これら前側突起群３１の各突起３１−１〜３１−４および後側突起群３２の第１の突起３２−１および第２の突起３２−２によって、落下時などの衝撃に対しても充分に強く、安定性も高いバヨネット結合を達成する。このとき、第１回転筒２と直進筒３の相対回転により、前側突起群３１の第３の突起３１−３および第４の突起３１−４のうちの一つが第１の突起３１−１および第２の突起３１−２に対応する第１の案内部２１の第１の凹所２１−１および第２の凹所２１−２のうちの一つに対向しても、前側突起群３１の第３の突起３１−３および第４の突起３１−４の他の一つは、第１の案内部２１の第１の凹所２１−１および第２の凹所２１−２のいずれにも対向することはないから、係合が脱離することはなく、このバヨネット結合が常時安定に保持される。
【００５１】
先に述べたように、図１０は、本発明の実施例にかかるレンズ鏡胴の組み付け段階における第１回転筒２と直進筒３との相対位置関係を模式的に示している。この組み付け位置では、直進筒３の前側突起群３１の第１〜第４の突起３１−１〜３１−４が、それぞれ第１回転筒２の第１の案内部２１の第１〜第４の凹所２１−１〜２１−４に沿って挿入され、直進筒３の後側突起群３２の第１の突起３２−１および第２の突起３２−２が、それぞれ第１回転筒２の第２の案内部２２の第１の凹所２２−１および第２の凹所２２−２に沿って挿入される。第１回転筒２の第１の案内部２１の第１〜第４の凹所２１−１〜２１−４の横断面形状および大きさは、直進筒３を中心軸線方向から見たときの前側突起群３１の第１〜第４の突起３１−１〜３１−４の形状および大きさに合わせてそれぞれ形成され、第１回転筒２の第２の案内部２２の第１の凹所２２−１および第２の凹所２２−２の横断面形状および大きさは、直進筒３を中心軸線方向から見たときの後側突起群３２の第１の突起３２−１および第２の突起３２−２の形状および大きさに合わせて形成されている。
【００５２】
直進筒３の前側突起群３１の第１〜第４の突起３１−１〜３１−４、並びに後側突起群３２の第１の突起３２−１および第２の突起３２−２が、それぞれ第１回転筒２の第１の案内部２１の第１〜第４の凹所２１−１〜２１−４、並びに第２の案内部２２の第１の凹所２２−１および第２の凹所２２−２への挿入の終端に至ったところで、図１１に示すように第１回転筒２を時計方向に比較的小さな角度α（８°程度）だけ相対回転させ、
直進筒３の前側突起群３１の第１〜第４の突起３１−１〜３１−４、並びに後側突起群３２の第１の突起３２−１および第２の突起３２−２を、それぞれ第１回転筒２の円周方向の第１の周溝部２４並びに円周方向の第２の周溝部２５に導き入れてバヨネット結合する。この図１１に示す位置が組み付けの最終位置であり、且つ各構成部材が固定筒１内に沈胴収納された収納位置である。
図１２は、図１１に示す沈胴収納位置から撮影位置とするために、第１回転筒２を図示時計方向に回転させて各構成部材を固定筒１から繰り出す途中の状態を示している。第１回転筒２の回転角度は、図１０に示す組み付け位置に対して角度Ａ（例えば、３９°）であり、前側突起群３１の第３の突起３１−３が、第１の案内部２１の第１の凹所２１−１に対向している。
【００５３】
第３の突起３１−３の周方向の幅は、第１の凹所２１−１の周方向の幅よりも大きく、しかも直進筒３の前側突起群３１の第１〜第４の各突起３１−１〜３１−４、並びに後側突起群３２の第１の突起３２−１および第２の突起３２−２は、上述した通りの相対角度位置関係になっているため、直進筒３の前側突起群３１の第３の突起３１−３以外の突起３１−１、３１−２および３１−４、並びに後側突起群３２の第１の突起３２−１および第２の突起３２−２は、どの凹所とも対向することはなく、このようなバヨネット結合は安定に保持される。また、図１２に示す状態は、収納位置から撮影起動位置に至る途中の状態であって、この状態で留まることはほとんどありえないから、前側突起群３１の第１〜第４の各突起３１−１〜３１−４、並びに後側突起群３２の第１の突起３２−１および第２の突起３２−２が、第１の案内部２１の各凹所２１−１〜２１−４、並びに第２の案内部２２の各凹所２２−１および２２−２から外れることはない。
第１回転筒２をさらに図示時計方向に回転させると、図１３に示すように、沈胴収納位置から最も近い撮影位置である起動位置に至る。収納位置から起動位置（収納位置から最も近い撮影位置）までの、第１回転筒２と直進筒３の相対回転角度をβとすると、図１０に示す組み付け位置からの第１回転筒２の回転角度は、α＋βである。この起動位置、すなわち収納位置から最も近い撮影位置は、例えば通常の場合広角端である。回転角度α＋βと上述した角度Ａとは、
（α＋β）＞Ａ
なる関係にある。
【００５４】
第１回転筒２をさらに図示時計方向に回転させると、この場合ズームレンズを構成する各レンズ群が、第１回転筒２の回転角度に応じて定められた移動軌跡に従って光軸方向に移動し、焦点距離が連続的に変化する。図１４には、このようにして収納位置から最も遠い撮影位置、例えば通常の場合望遠端、すなわちレンズ群を最も繰り出した最繰り出し位置、まで移動したときの第１回転筒２と直進筒３の相対的な位置関係を示している。起動位置（最も近い撮影位置）から最繰り出し位置（最も遠い撮影位置）までの第１回転筒２と直進筒３の相対回転角度をγとすると、図１０に示す組み付け段階からの第１回転筒２の回転角度は、α＋β＋γである。角度α＋β＋γと角度Ｂとは、
（α＋β＋γ）＜Ｂ
なる関係にある。
図１１に示す組み付け完了状態で且つ沈胴状態である収納位置から、図１４に示す最も遠い撮影位置である最繰り出し位置に至るまでに、直進筒３の前側突起群３１の第１〜第４の各突起３１−１〜３１−４のうちのいずれか１つが第１回転筒２の第１の案内部２１の各凹所２１−１〜２１−４のうちのいずれか１つと対向することがあり得るが、前側突起群３１における他の突起が凹所２１−１〜２１−４と対向することはなく、後側突起群３２の第１の突起３２−１および第２の突起３２−２のうちのいずれか１つが、第２の案内部２２の第１の凹所２２−１および第２の凹所２２−２のうちのいずれか１つと対向することもないから、このバヨネット結合は安定に保持される。
【００５５】
直進筒３に設けられている前側突起群３１の各突起３１−１〜３１−４のうちの第１の突起３１−１と第２の突起３１−２、並びに後側突起群３２の第１の突起３２−１と第２の突起３２−２は、それぞれ対をなす、いわばメインの突起であって、これらの突起３１−１および３２−１と突起３１−２および３２−２の位置は直進筒３に形成される貫通溝３５との位置関係において特別に工夫がなされている。図８は、円筒状の直進筒３を平面に展開したものである。図８に示すように、直進筒３は２つの貫通溝３５を円周方向に１８０°間隔で設けている。各貫通溝３５の円周方向の角度幅は１８０°よりも小さく、例えば１５０°程度の角度幅となっていて、直進筒３を光軸方向から投影してこれら２つの貫通溝３５のいずれにも重ならない角度領域が円周上の２箇所に存在する。これら２つの領域に、それぞれ上述した前側突起群３１の第１の突起３１−１および後側突起群３２の第１の突起３２−１と、前側突起群３１の第２の突起３１−２および後側突起群３２の第２の突起３２−２とを配置し、前側突起群３１の第３の突起３１−３と第４の突起３１−４とは、それぞれ直進筒３の軸線方向において２つの貫通溝３５と重なる位置に配置している。
【００５６】
直進筒３は、２つの貫通溝３５が存在することにより、貫通溝３５と重なる領域の機械的な強度が低下する。しかしながら、上述したように、主たる突起となる前側突起群３１の第１の突起３１−１および後側突起群３２の第１の突起３２−１と、前側突起群３１の第２の突起３１−２および後側突起群３２の第２の突起３２−２とは、それぞれ貫通溝３５と重ならない領域に形成されるため、これら前側突起群３１の第１の突起３１−１および後側突起群３２の第１の突起３２−１と、前側突起群３１の第２の突起３１−２および後側突起群３２の第２の突起３２−２とを配置した部位の周辺部の強度は低下しにくい。このため、レンズ鏡胴の落下などによって、前側突起群３１の第１の突起３１−１および後側突起群３２の第１の突起３２−１と、前側突起群３１の第２の突起３１−２および後側突起群３２の第２の突起３２−２とに衝撃が加わっても、直進筒３は、前側突起群３１の第１の突起３１−１および後側突起群３２の第１の突起３２−１と、前側突起群３１の第２の突起３１−２および後側突起群３２の第２の突起３２−２との周辺が変形しにくく、これらの突起の突出量を大きくしなくてもバヨネット結合が外れることはない。したがって、レンズ鏡胴の大径化を回避することができる。
【００５７】
特許文献３（特開２００９−１６９３８８号）等に開示されたレンズ鏡胴においても直進筒の突起は３つ以上設けられていたため、バヨネット結合された状態で第１回転筒と直進筒は相対回転動作を安定に行うことができた。これらの突起は、直進筒の光軸方向で１箇所のみに形成されていたため、例えば鏡筒が最繰出位置近傍にあるような場合では、直進筒における突起の位置の半径方向内側に第２回転筒のヘリコイド部等が位置するために、落下衝撃等を受けても直進筒の半径方向の変形が押えられ、バヨネット結合は外れにくい。しかしながら、鏡筒が起動位置近傍にある状態では、突起の半径方向内側には空間があり、落下衝撃等を受けたときに直進筒の半径方向の変形が比較的起こり易く、バヨネット結合は外れやすい状態となる。
これに対して、上述した本発明の第１の実施の形態に係るレンズ鏡胴においては、直進筒３の最繰り出し位置に対応する前方被写体側端部近傍に、前側突起群３１の４つの突起３１−１〜３１−４を設け、これら前側突起群３１の第１の突起３１−１および第２の突起３１−２の後方の収納位置に対応する結像面側端部近傍に後側突起群３２の第１の突起３２−１および第２の突起３２−２を設けて、バヨネット結合の位置を最繰出位置と収納位置に対応させることによって、鏡筒がどの位置にあってもバヨネット結合の脱落を防止することができる。
【００５８】
また、先に述べたように、直進筒３は、第２回転筒４に設けられているピン４２が貫通する逃げ溝としての貫通溝３５を、円周方向の所定の角度範囲にわたって有していて、直進筒３の機械的強度の低下要因となるが、上述したように直進筒３に設けられる前側突起群３１の少なくとも２つの突起および後側突起群３２の少なくとも２つの突起は、貫通溝３５と光軸方向において重ならない位置に設けられるため、レンズ鏡胴あるいはこのレンズ鏡胴を備えた撮像装置などが落下などによって衝撃を受けても、直進筒３の前側突起群３１の少なくとも２つの突起および後側突起群３２の少なくとも２つの突起が設けられている部分の機械的強度は維持される。そのため、前側突起群３１の少なくとも２つの突起および後側突起群３２の少なくとも２つの突起が位置する部分近傍の変形を防止し、あるいは変形しても僅かな範囲にとどめることができ、バヨネット結合が外れることはなく、第１回転筒２と直進筒３の正常な相対移動を確保することができる。
なお、上述した実施の形態においては、直進筒３の前側突起群３１には、第１の突起３１−１および第２の突起３１−２の他に、第３の突起３１−３および第４の突起３１−４を配置して、合計４つの突起を配置し、これらに対応して第１回転筒２の第１の案内部２１には、第１〜第４の凹所２１−１〜２１−４を配置しており、さらに直進筒３には、前側突起群３１の第１の突起３１−１および第２の突起３１−２の後方に後側突起群３２として第１の突起３２−１および第２の突起３２−２を配置し、これらに対応して第１回転筒２に第２の案内部２２として第１の凹所２２−１および第２の凹所２２−２を配置している。
【００５９】
しかしながら、前側突起群３１としては、主となる第１の突起３１−１および第２の突起３１−２の他に補助的な突起は少なくとも１つ、合計３つの突起があればよく、後側突起群３２としては、第１の突起３２−１および第２の突起３２−２の２つの突起があればよい。もちろん、前側突起群３１後側突起群３２として、これらより多くの突起を有していても良い。
直進筒３の前側突起群３１の第１〜第４の突起３１−１〜３１−４、並びに後側突起群３２の第１の突起３２−１および第２の突起３２−２の各突起の高さは、互いに異なっていても差し支えないが、図１０〜図１４に示されているように、これら複数の突起の高さを全て同一とすれば、これらの突起が挿入される第１回転筒２の第１の案内部２１の第１〜第４の凹所２１−１〜２１−４、並びに第２の案内部２２の第１の凹所２２−１および第２の凹所２２−２の各凹所の深さを均一にすることができるため、第１回転筒２の肉厚を薄くすることができ、結果としてレンズ鏡胴全体の径方向の寸法を小さくすることができる。
【００６０】
〔第２の実施の形態〕
図１５〜図２０は、本発明の第２の実施の形態に係るレンズ鏡胴の要部の構成を示している。なお、本発明の第１の実施の形態において言及した図１〜図３および図１０〜図１４に示された構成については、本発明の第２の実施の形態においても実質的にほぼ同様である。図１５〜図２０は、本発明の第２の実施の形態に特有の構成を示している。
図１５は、本発明の第２の実施の形態に係るレンズ鏡胴の各鏡筒が図１に相当する収納位置にある状態での要部の構成を模式的に示す縦断面図、図１６は、レンズ鏡胴の各鏡筒が図２に相当する撮影開始時の起動位置にある状態での要部の構成を模式的に示す縦断面図、そして図１７は、レンズ鏡胴の各鏡筒が図３に相当する撮影時の最繰り出し位置にある状態での要部の構成を模式的に示す縦断面図である。また、図１８は、この第２の実施の形態に係るレンズ鏡胴の要部の構成を模式的に示す分解斜視図である。さらに、図１９は、この第２の実施の形態に係るレンズ鏡胴における直進筒の外周面の形態を模式的に示す展開図、そして図２０は、レンズ鏡胴における第１回転筒の内周面の形態を模式的に示す展開図である。
【００６１】
本発明の第２の実施の形態に係るレンズ鏡胴は、図１５〜図２０に示すように構成しており、図１〜図９を参照して説明した本発明の第１の実施の形態のレンズ鏡胴と実質的にほぼ同様である。すなわち、図１５〜図２０に示す本発明の第２の実施の形態に係るレンズ鏡胴は、固定筒１、第１回転筒２、直進筒３および第２回転筒４を具備している。固定筒１には、内周面に、ヘリコイド１１および直進溝１２が形成されている。第１回転筒２には、内周面に、第１の案内部（２１）を構成する凹所２１−１〜２１−４、第２の案内部（２２）を構成する凹所２２−１，２２−２、直進溝部２３を構成する２つの直進溝２３、第１の周溝部２４および第２の周溝部２５が形成され、後端部（結像面側端部）の外周面に、ヘリコイド２６およびラック２７が形成されている。直進筒３には、前端側（被写体側）の外周面に、前側突起群３１を構成する突起３１−１〜３１−４が形成され、前側突起群３１よりも後方（結像面側）の外周面に、後側突起群３２を構成する突起３２−１，３２−２が形成され、後端部（結像面側端部）の外周面に突起３３が形成され、内周面には、ヘリコイド３４が形成され、そして内外周に貫通して、逃げ溝としての貫通溝３５が形成されている。第２回転筒４には、後端部（結像面側端部）の外周面に適宜個数のヘリコイド４１および２本のピン４２が形成されている。
【００６２】
図１５〜図２０に示す本発明の第２の実施の形態に係るレンズ鏡胴は、おおむね図４〜図９に示した本発明の第１の実施の形態に係るレンズ鏡胴の構成と同様であるが、以下の点において第１の実施の形態に係るレンズ鏡胴とは異なっている。
すなわち、この第２の実施の形態においては、図１８および図２０、さらには、図１０〜図１４、に示すように、後端側から光軸と平行に延びる第１の凹所２１−１、第２の凹所２１−２、第３の凹所２１−３および第４の凹所２１−４からなる４つの凹所を形成して、第１の案内部２１を構成している。第１の案内部２１を構成するこれらの第１〜第４の凹所２１−１〜２１−４は、第１回転筒２の前端部において円周方向に形成された第１の周溝部２４に連通している。
また、第１の案内部２１の後方には、後端側から光軸と平行に延びる第１の凹所２２−１および第２の凹所２２−２からなる２つの凹所を形成して、第２の案内部２２を構成している。この場合、第２の案内部２２を構成する第１の凹所２２−１および第２の凹所２２−２は、第１の案内部２１の第１〜第４の凹所２１−１〜２１−４よりも円周方向に充分に広い幅を有し、それぞれの幅内において第１の案内部２１の第１の凹所２１−１および第２の凹所２１−２に連通している。
【００６３】
第２の案内部２２を構成するこれら第１の凹所２２−１および第２の凹所２２−２は、第１回転筒２の第１の周溝部２４の後方のやや前寄りの中間部近傍において円周方向に形成された第２の周溝部２５に連通している。つまり、この第２の実施の形態においては、第２の周溝部２５の位置が、第１回転筒２の後端部ではなく中間部のやや前寄りに配置されている。
つまり、この第２の実施の形態においても、第１の案内部２１の第１〜第４の凹所２１−１〜２１−４のうちの第１の案内部２１の第１の凹所２１−１および第２の凹所２１−２の円周方向の幅位置は、第２の案内部２２を構成する第１の凹所２２−１および第２の凹所２２−２の円周方向の幅内に設定されており、第１回転筒２の内周面に後端から前方に向かって第２の案内部２２の第１の凹所２２−１および第２の凹所２２−２が延び、その前端に第２の周溝部２５が形成されるとともに、これら第１の凹所２２−１および第２の凹所２２−２の各前端縁の一部からさらに前方に向かって、それぞれ第１の案内部２１の第１の凹所２１−１および第２の凹所２１−２が延び、それらの前端に第１の周溝部２４が形成されている。また、第１の案内部２１の第１〜第４の凹所２１−１〜２１−４のうちの第１の案内部２１の第３の凹所２１−３および第４の凹所２１−４は、第１回転筒２の内周面に後端から前方に向かって延び、それらの前端に第１の周溝部２４が形成されている。
【００６４】
図１８および図１９、さらには、図１０〜図１４、に示すように、直進筒３の前端部外周面には、第１の案内部２１の第１の凹所２１−１、第２の凹所２１−２、第３の凹所２１−３および第４の凹所２１−４にそれぞれ対応し且つ第１の周溝部２４に対応する第１の突起３１−１、第２の突起３１−２、第３の突起３１−３および第４の突起３１−４からなる前側突起群３１が形成されている。すなわち、これら前側突起群３１を構成する第１〜第４の突起３１−１〜３１−４は、各々第１の案内部２１の第１〜第４の凹所２１−１〜２１−４の円周方向の幅に応じた円周方向の幅を有し且つ第１の周溝部２４の光軸方向の幅に応じた光軸方向の幅を有しており、第１の案内部２１の第１〜第４の凹所２１−１〜２１−４および第１の周溝部２４に収まりそれらによって案内されるように形成されている。
そして、直進筒３の中間部のやや前寄りの外周面には、この場合、前側突起群３１の第１の突起３１−１および第２の突起３１−２の後方に、第２の案内部２２の第１の凹所２２−１および第２の凹所２２−２にそれぞれ対応し且つ第２の周溝部２５に対応する第１の突起３２−１および第２の突起３２−２からなる後側突起群３２が形成されている。
【００６５】
すなわち、これら後側突起群３２を構成する第１の突起３２−１および第２の突起３２−２は、各々第２の案内部２２の第１の凹所２２−１および第２の凹所２２−２の円周方向の幅に応じた円周方向の幅を有し且つ第２の周溝部２５の光軸方向の幅に応じた光軸方向の幅を有しており、第２の案内部２２の第１の凹所２２−１および第２の凹所２２−２、並びに第２の周溝部２５に収まりそれらによって案内されるように形成されている。
したがって、本発明の第２の実施の形態に係るレンズ鏡胴は、第１の実施の形態では、直進筒３の後端部に配置されていた後側突起群３２を構成する第１の突起３２−１および第２の突起３２−２を、直進筒３の中間部のやや前寄りに配置し、それに対応して
第１の実施の形態では第１回転筒２の後端部に配置されていた第２の周溝部２５も第１回転筒２の第１の周溝部２４の後方のやや前寄りの中間部近傍に配置し、それに伴って第１回転筒２の第２の案内部２２の第１の凹所２２−１および第２の凹所２２−２を光軸方向に延長している。
以上が本発明の第２の実施の形態に係るレンズ鏡胴の特徴であり、この第２の実施の形態に係るレンズ鏡胴の特徴点以外の構成および動作については、先に述べた本発明の第１の実施の形態と実質的に同様であるので、ここでは、詳細な説明は省略する。
【００６６】
先に述べたように、特許文献３（特開２００９−１６９３８８号）等に開示されたレンズ鏡胴においても直進筒の突起は３つ以上設けられていたため、バヨネット結合された状態で第１回転筒と直進筒は相対回転動作を安定に行うことができた。これらの突起は、直進筒の光軸方向で１箇所のみに形成されていたため、例えば鏡筒が最繰出位置近傍にあるような場合では、直進筒における突起の位置の半径方向内側に第２回転筒のヘリコイド部等が位置するために、落下衝撃等を受けても直進筒の半径方向の変形が押えられ、バヨネット結合は外れにくい。しかしながら、鏡筒が起動位置近傍にある状態では、突起の半径方向内側には空間があり、落下衝撃等を受けたときに直進筒の半径方向の変形が比較的起こり易く、バヨネット結合は外れやすい状態となる。
これに対して、上述した本発明の第２の実施の形態に係るレンズ鏡胴においては、直進筒３の最繰り出し位置に対応する前方被写体側端部近傍に、前側突起群３１の４つの突起３１−１〜３１−４を設け、これら前側突起群３１の第１の突起３１−１および第２の突起３１−２の後方の起動位置に対応する直進筒３の中間部のやや前寄りの部分近傍に後側突起群３２の第１の突起３２−１および第２の突起３２−２を設けて、バヨネット結合の位置を衝撃による衝撃力が最も強く作用すると考えられる最繰り出し位置と最も衝撃を受け易いと考えられる起動位置に対応させることによって、鏡筒がどの位置にあってもバヨネット結合の脱落を防止することができる。
【００６７】
また、先に述べたように、直進筒３は、第２回転筒４に設けられているピン４２が貫通する逃げ溝としての貫通溝３５を、円周方向の所定の角度範囲にわたって有していて、直進筒３の機械的強度の低下要因となるが、上述したように直進筒３に設けられる前側突起群３１の少なくとも２つの突起および後側突起群３２の少なくとも２つの突起は、貫通溝３５と光軸方向において重ならない位置に設けられるため、レンズ鏡胴あるいはこのレンズ鏡胴を備えた撮像装置などが落下などによって衝撃を受けても、直進筒３の前側突起群３１の少なくとも２つの突起および後側突起群３２の少なくとも２つの突起が設けられている部分の機械的強度は維持される。そのため、前側突起群３１の少なくとも２つの突起および後側突起群３２の少なくとも２つの突起が位置する部分近傍の変形を防止し、あるいは変形しても僅かな範囲にとどめることができ、バヨネット結合が外れることはなく、第１回転筒２と直進筒３の正常な相対移動を確保することができる。
【００６８】
なお、上述した実施の形態においては、直進筒３の前側突起群３１には、第１の突起３１−１および第２の突起３１−２の他に、第３の突起３１−３および第４の突起３１−４を配置して、合計４つの突起を配置し、これらに対応して第１回転筒２の第１の案内部２１には、第１〜第４の凹所２１−１〜２１−４を配置しており、さらに直進筒３には、前側突起群３１の第１の突起３１−１および第２の突起３１−２の後方に後側突起群３２として第１の突起３２−１および第２の突起３２−２を配置し、これらに対応して第１回転筒２に第２の案内部２２として第１の凹所２２−１および第２の凹所２２−２を配置している。しかしながら、前側突起群３１としては、主となる第１の突起３１−１および第２の突起３１−２の他に補助的な突起は少なくとも１つ、合計３つの突起があればよく、後側突起群３２としては、第１の突起３２−１および第２の突起３２−２の２つの突起があればよい。もちろん、前側突起群３１および後側突起群３２として、これらより多くの突起を有していても良い。
直進筒３の前側突起群３１の第１〜第４の突起３１−１〜３１−４、並びに後側突起群３２の第１の突起３２−１および第２の突起３２−２の各突起の高さは、互いに異なっていても差し支えないが、図１０〜図１４に示されているように、これら複数の突起の高さを全て同一とすれば、これらの突起が挿入される第１回転筒２の第１の案内部２１の第１〜第４の凹所２１−１〜２１−４、並びに第２の案内部２２の第１の凹所２２−１および第２の凹所２２−２の各凹所の深さを均一にすることができるため、第１回転筒２の肉厚を薄くすることができ、結果としてレンズ鏡胴全体の径方向の寸法を小さくすることができる。
【００６９】
〔第３の実施の形態〕
図２１〜図２６は、本発明の第３の実施の形態に係るレンズ鏡胴の要部の構成を示している。なお、本発明の第１の実施の形態において言及した図１〜図３および図１０〜図１４に示された構成については、本発明の第３の実施の形態においても実質的にほぼ同様である。図２１〜図２６は、本発明の第３の実施の形態に特有の構成を示している。
図２１は、本発明の第３の実施の形態に係るレンズ鏡胴の各鏡筒が図１に相当する収納位置にある状態での要部の構成を模式的に示す縦断面図、図２２は、レンズ鏡胴の各鏡筒が図２に相当する撮影開始時の起動位置にある状態での要部の構成を模式的に示す縦断面図、そして図２３は、レンズ鏡胴の各鏡筒が図３に相当する撮影時の最繰り出し位置にある状態での要部の構成を模式的に示す縦断面図である。また、図２４は、この第２の実施の形態に係るレンズ鏡胴の要部の構成を模式的に示す分解斜視図である。さらに、図２５は、この第２の実施の形態に係るレンズ鏡胴における直進筒の外周面の形態を模式的に示す展開図、そして図２６は、レンズ鏡胴における第１回転筒の内周面の形態を模式的に示す展開図である。
【００７０】
本発明の第３の実施の形態に係るレンズ鏡胴は、図２１〜図２６に示すように構成しており、図１〜図９を参照して説明した本発明の第１の実施の形態のレンズ鏡胴と実質的にほぼ同様であり、さらに図１５〜図２０を参照して説明した本発明の第２の実施の形態の構成を組み合わせたものである。すなわち、図２１〜図２６に示す本発明の第３の実施の形態に係るレンズ鏡胴は、固定筒１、第１回転筒２、直進筒３および第２回転筒４を具備している。固定筒１には、内周面に、ヘリコイド１１および直進溝１２が形成されている。第１回転筒２には、内周面に、第１の案内部（２１）を構成する凹所２１−１〜２１−４、第２の案内部（２２）を構成する凹所２２−１，２２−２、直進溝部２３を構成する２つの直進溝２３、第１の周溝部２４および第２の周溝部２５が形成され、後端部（結像面側端部）の外周面に、ヘリコイド２６およびラック２７が形成されている。この場合、第２の周溝部２５は、第２の実施の形態における第２の周溝部２５に相当する第１の後側周溝２５′と、第１の実施の形態における第２の周溝部２５に相当する第２の後側周溝２５″とからなる２つの後側周溝で構成する。直進筒３には、前端側（被写体側）の外周面に、前側突起群３１を構成する突起３１−１〜３１−４が形成され、前側突起群３１よりも後方（結像面側）の外周面に、後側突起群３２の第１の後側突起群３２′を構成する突起３２′−１，３２′−２と、後側突起群３２の第２の後側突起群３２″を構成する突起３２″−１，３２″−２が形成され、後端部（結像面側端部）の外周面に突起３３が形成され、内周面には、ヘリコイド３４が形成され、そして内外周に貫通して、逃げ溝としての貫通溝３５が形成されている。
【００７１】
すなわち、この場合、後側突起群３２は、第２の実施の形態における後側突起群３２に相当する第１の後側突起群３２′（突起３２′−１，３２′−２）と、第１の実施の形態における後側突起群３２に相当する第２の後側突起群３２″（３２″−１，３２″−２）とからなる２つの後側突起群で構成している。第２回転筒４には、後端部（結像面側端部）の外周面に適宜個数のヘリコイド４１および２本のピン４２が形成されている。
図２１〜図２６に示す本発明の第３の実施の形態に係るレンズ鏡胴は、おおむね図４〜図９に示した本発明の第１の実施の形態に係るレンズ鏡胴の構成と同様であるが、さらに図１５〜図２０に示した本発明の第２の実施の形態に係るレンズ鏡胴の構成を組み合わせたものであり、以下の点において第１の実施の形態に係るレンズ鏡胴とは異なっている。
すなわち、この第３の実施の形態においては、図２４および図２６、さらには、図１０〜図１４、に示すように、後端側から光軸と平行に延びる第１の凹所２１−１、第２の凹所２１−２、第３の凹所２１−３および第４の凹所２１−４からなる４つの凹所を形成して、第１の案内部２１を構成している。第１の案内部２１を構成するこれらの第１〜第４の凹所２１−１〜２１−４は、第１回転筒２の前端部において円周方向に形成された第１の周溝部２４に連通している。
【００７２】
そして、第１の案内部２１の後方には、後端側から光軸と平行に延びる第１の凹所２２−１および第２の凹所２２−２からなる２つの凹所を形成して、第２の案内部２２を構成している。この場合、第２の案内部２２を構成する第１の凹所２２−１および第２の凹所２２−２は、第１の案内部２１の第１〜第４の凹所２１−１〜２１−４よりも円周方向に充分に広い幅を有し、それぞれの幅内において第１の案内部２１の第１の凹所２１−１および第２の凹所２１−２に連通している。第２の案内部２２を構成するこれら第１の凹所２２−１および第２の凹所２２−２は、第１回転筒２の第１の周溝部２４の後方のやや前寄りの中間部近傍において円周方向に形成された第２の実施の形態における第２の周溝部２５に相当する第１の後側周溝２５′と、この第１の後側周溝２５′のさらに後方で、第１回転筒２の後端部近傍において円周方向に形成された第１の実施の形態における第２の周溝部２５に相当する第２の後側周溝２５″との２つの周溝で構成される第２の周溝部２５に連通している。つまり、この第３の実施の形態においては、第２の周溝部２５が、第１回転筒２の中間部のやや前寄りに配置される第１の後側周溝２５′と、後端部に配置される第２の後側周溝２５″とで構成されている。
【００７３】
この第３の実施の形態においても、第１の案内部２１の第１〜第４の凹所２１−１〜２１−４のうちの第１の案内部２１の第１の凹所２１−１および第２の凹所２１−２の円周方向の幅位置は、第２の案内部２２を構成する第１の凹所２２−１および第２の凹所２２−２の円周方向の幅内に設定されており、第１回転筒２の内周面に後端から前方に向かって第２の案内部２２の第１の凹所２２−１および第２の凹所２２−２が延び、その前端に第２の周溝部２５の第１の後側周溝２５′が形成されるとともに、これら第１の凹所２２−１および第２の凹所２２−２の各前端縁の一部からさらに前方に向かって、それぞれ第１の案内部２１の第１の凹所２１−１および第２の凹所２１−２が延び、それらの前端に第１の周溝部２４が形成されている。なお、第２の周溝部２５の第２の後側周溝２５″は、第２の案内部２２の第１の凹所２２−１および第２の凹所２２−２の途中（第１回転筒２の後端部に対応する位置）に形成されている。また、第１の案内部２１の第１〜第４の凹所２１−１〜２１−４のうちの第１の案内部２１の第３の凹所２１−３および第４の凹所２１−４は、第１回転筒２の内周面に後端から前方に向かって延び、それらの前端に第１の周溝部２４が形成されている。
【００７４】
図２４および図２５、さらには、図１０〜図１４、に示すように、直進筒３の前端部外周面には、第１の案内部２１の第１の凹所２１−１、第２の凹所２１−２、第３の凹所２１−３および第４の凹所２１−４にそれぞれ対応し且つ第１の周溝部２４に対応する第１の突起３１−１、第２の突起３１−２、第３の突起３１−３および第４の突起３１−４からなる前側突起群３１が形成されている。すなわち、これら前側突起群３１を構成する第１〜第４の突起３１−１〜３１−４は、各々第１の案内部２１の第１〜第４の凹所２１−１〜２１−４の円周方向の幅に応じた円周方向の幅を有し且つ第１の周溝部２４の光軸方向の幅に応じた光軸方向の幅を有しており、第１の案内部２１の第１〜第４の凹所２１−１〜２１−４および第１の周溝部２４に収まりそれらによって案内されるように形成されている。
そして、直進筒３の中間部のやや前寄りの外周面には、この場合、前側突起群３１の第１の突起３１−１および第２の突起３１−２、の後方に、第２の案内部２２の第１の凹所２２−１および第２の凹所２２−２にそれぞれ対応し且つ第２の周溝部２５の第１の後側周溝２５′に対応する第１の突起３２′−１および第２の突起３２′−２からなる第１の後側突起群３２′が形成され、さらにそれらの後方に第２の案内部２２の第１の凹所２２−１および第２の凹所２２−２にそれぞれ対応し且つ第２の周溝部２５の第２の後側周溝２５″に対応する第１の突起３２″−１および第２の突起３２″−２からなる第２の後側突起群３２″が形成されている。
【００７５】
すなわち、これら後側突起群３２の第１の後側突起群３２′を構成する第１の突起３２′−１および第２の突起３２′−２、並びに後側突起群３２の第２の後側突起群３２″を構成する第１の突起３２″−１および第２の突起３２″−２は、各々第２の案内部２２の第１の凹所２２−１および第２の凹所２２−２の円周方向の幅に応じた円周方向の幅を有し且つ第２の周溝部２５を構成する第１の後側周溝２５′および第２の後側周溝２５″の光軸方向の幅に応じた光軸方向の幅を有しており、第２の案内部２２の第１の凹所２２−１および第２の凹所２２−２、並びに第２の周溝部２５の第１の後側周溝２５′および第２の後側周溝２５″に収まりそれらによって案内されるように形成されている。
したがって、本発明の第３の実施の形態に係るレンズ鏡胴は、直進筒３の中間部のやや前寄りに、後側突起群３２の第１の後側突起群３２′を構成する第１の突起３２′−１および第２の突起３２′−２を配置し、且つ直進筒３の後端部に、後側突起群３２の第１の後側突起群３２″を構成する第１の突起３２″−１および第２の突起３２″−２を配置し、それらに対応して、第２の周溝部２５の第１の後側周溝２５′を第１回転筒２の後端部に配置し、且つ第２の周溝部２５の第２の後側周溝部２５″を第１回転筒２の第１の周溝部２４の後方のやや前寄りの中間部近傍に配置し、それらに対応して第１回転筒２の第２の案内部２２の第１の凹所２２−１および第２の凹所２２−２を形成している。
【００７６】
以上が本発明の第３の実施の形態に係るレンズ鏡胴の特徴であり、この第３の実施の形態に係るレンズ鏡胴の特徴点以外の構成および動作については、先に述べた本発明の第１の実施の形態および第２の実施の形態と実質的に同様であるので、ここでは、詳細な説明は省略する。
先に述べたように、特許文献３（特開２００９−１６９３８８号）等に開示されたレンズ鏡胴においても直進筒の突起は３つ以上設けられていたため、バヨネット結合された状態で第１回転筒と直進筒は相対回転動作を安定に行うことができた。これらの突起は、直進筒の光軸方向で１箇所のみに形成されていたため、例えば鏡筒が最繰出位置近傍にあるような場合では、直進筒における突起の位置の半径方向内側に第２回転筒のヘリコイド部等が位置するために、落下衝撃等を受けても直進筒の半径方向の変形が押えられ、バヨネット結合は外れにくい。しかしながら、鏡筒が起動位置近傍にある状態では、突起の半径方向内側には空間があり、落下衝撃等を受けたときに直進筒の半径方向の変形が比較的起こり易く、バヨネット結合は外れやすい状態となる。
【００７７】
これに対して、上述した本発明の第３の実施の形態に係るレンズ鏡胴においては、直進筒３の最繰り出し位置に対応する前方被写体側端部近傍に、前側突起群３１の４つの突起３１−１〜３１−４を設け、これら前側突起群３１の第１の突起３１−１および第２の突起３１−２の後方の起動位置に対応する直進筒３の中間部のやや前寄りの部分端部近傍に後側突起群３２の第１の後側突起群３２′を構成する第１の突起３２′−１および第２の突起３２′−２を設け、さらに後方の収納位置に対応する直進筒３の後端部近傍に後側突起群３２の第１の後側突起群３２″を構成する第１の突起３２″−１および第２の突起３２″−２を設けて、バヨネット結合の位置を衝撃による衝撃力が最も強く作用すると考えられる最繰り出し位置、最も衝撃を受け易いと考えられる起動位置、そして収納位置の全てに対応させることによって、鏡筒がどの位置にあってもバヨネット結合の脱落を効果的に防止することができる。
【００７８】
また、先に述べたように、直進筒３は、第２回転筒４に設けられているピン４２が貫通する逃げ溝としての貫通溝３５を、円周方向の所定の角度範囲にわたって有していて、直進筒３の機械的強度の低下要因となるが、上述したように直進筒３に設けられる前側突起群３１の少なくとも２つの突起、後側突起群３２の第１の後側突起群３２′の少なくとも２つの突起および後側突起群３２の第２の後側突起群３２″の少なくとも２つの突起は、貫通溝３５と光軸方向において重ならない位置に設けられるため、レンズ鏡胴あるいはこのレンズ鏡胴を備えた撮像装置などが落下などによって衝撃を受けても、直進筒３の前側突起群３１の少なくとも２つの突起、後側突起群３２の第１の後側突起群３２′の少なくとも２つの突起および後側突起群３２の第２の後側突起群３２″の少なくとも２つの突起が設けられている部分の機械的強度は維持される。そのため、前側突起群３１の少なくとも２つの突起、後側突起群３２の第１の後側突起群３２′の少なくとも２つの突起および後側突起群３２の第２の後側突起群３２″の少なくとも２つの突起が位置する部分近傍の変形を防止し、あるいは変形しても僅かな範囲にとどめることができ、バヨネット結合が外れることはなく、第１回転筒２と直進筒３の正常な相対移動を確保することができる。
【００７９】
なお、上述した実施の形態においては、直進筒３の前側突起群３１には、第１の突起３１−１および第２の突起３１−２の他に、第３の突起３１−３および第４の突起３１−４を配置して、合計４つの突起を配置し、これらに対応して第１回転筒２の第１の案内部２１には、第１〜第４の凹所２１−１〜２１−４を配置しており、さらに直進筒３には、前側突起群３１の第１の突起３１−１および第２の突起３１−２の後方に後側突起群３２の第１の後側突起群３２′として第１の突起３２′−１および第２の突起３２′−２を配置し、さらにそれらの後方に後側突起群３２の第２の後側突起群３２″として第１の突起３２″−１および第２の突起３２″−２を配置し、これらに対応して第１回転筒２に第２の案内部２２として第１の凹所２２−１および第２の凹所２２−２を配置している。しかしながら、前側突起群３１としては、主となる第１の突起３１−１および第２の突起３１−２の他に補助的な突起は少なくとも１つ、合計３つの突起があればよく、後側突起群３２の第１の後側突起群３２′および第２の後側突起群３２″としては、それぞれ第１の突起３２′−１および３２″−１と、第２の突起３２′−２および３２″−２との各２つの突起があればよい。もちろん、前側突起群３１および後側突起群３２として、これらより多くの突起を有していても良い。
【００８０】
直進筒３の前側突起群３１の第１〜第４の突起３１−１〜３１−４、後側突起群３２の第１の後側突起群３２′の第１の突起３２′−１および第２の突起３２′−２、並びに後側突起群３２の第２の後側突起群３２″の第１の突起３２″−１および第２の突起３２″−２の各突起の高さは、互いに異なっていても差し支えないが、図１０〜図１４に示されているように、これら複数の突起の高さを全て同一とすれば、これらの突起が挿入される第１回転筒２の第１の案内部２１の第１〜第４の凹所２１−１〜２１−４、並びに第２の案内部２２の第１の凹所２２−１および第２の凹所２２−２の各凹所の深さを均一にすることができるため、第１回転筒２の肉厚を薄くすることができ、結果としてレンズ鏡胴全体の径方向の寸法を小さくすることができる。
本発明に係るレンズ鏡胴は、ディジタルカメラ等の撮像装置、携帯電話機に代表される携帯型情報端末装置等の情報装置および画像入力装置などに適用することができる。
ディジタルカメラ等の撮像装置は、撮像光学系としての撮像レンズを備えており、この撮影レンズの鏡胴として、上述した本発明に係るレンズ鏡胴を適用することができる。このような撮像装置とすれば、大きな衝撃が加わっても故障しにくいという利点が得られる。
【００８１】
携帯電話機に代表される携帯型情報端末装置等の情報装置は、スティルカメラやビデオカメラ等に相当する撮像機能を備えたものがあり、このような撮像機能の撮像レンズのレンズ鏡胴として、上述したレンズ鏡胴を適用することができる。このような情報装置においても、大きな衝撃が加わっても故障しにくいという利点が得られる。
撮像光学系としての撮像レンズを備え、撮像レンズによって結像された画像を電気信号からなる画像情報に変換して入力する画像入力装置がある。この種の画像入力装置の撮像レンズのレンズ鏡胴としても、上述したようなレンズ鏡胴を適用することができる。このような画像入力装置においても、大きな衝撃が加わっても故障しにくいという利点が得られる。
【符号の説明】
【００８２】
１  固定筒
２  第１回転筒
３  直進筒
４  第２回転筒
１１  ヘリコイド
１２  直進溝
２１  第１の案内部
２１−１〜２１−４  第１〜第４の凹所
２２  第２の案内部
２２−１，２２−２  第１〜第２の凹所
２３  直進溝部（直進溝）
２４  第１の周溝部
２５  第２の周溝部
２５′  第１の後側周溝
２５″  第２の後側周溝
２６  ヘリコイド
２７  ラック
３１  前側突起群
３１−１〜３１−４  第１〜第４の突起
３２  後側突起群
３２−１，３２−２  第１〜第２の突起
３２′  第１の後側突起群
３２′−１，３２′−２  第１〜第２の突起
３２″  第２の後側突起群
３２″−１，３２″−２  第１〜第２の突起
３３  突起
３４  ヘリコイド
３５  貫通溝
４１  ヘリコイド
４２  ピン
【先行技術文献】
【特許文献】
【００８３】
【特許文献１】特開２００３−３２２７８６号公報
【特許文献２】特開平９−２１１２９２号公報
【特許文献３】特開２００９−１６９３８８号公報
【図１】
0005765617.tif 000002
【図２】
0005765617.tif 000003
【図３】
0005765617.tif 000004
【図４】
0005765617.tif 000005
【図５】
0005765617.tif 000006
【図６】
0005765617.tif 000007
【図７】
0005765617.tif 000008
【図８】
0005765617.tif 000009
【図９】
0005765617.tif 000010
【図１０】
0005765617.tif 000011
【図１１】
0005765617.tif 000012
【図１２】
0005765617.tif 000013
【図１３】
0005765617.tif 000014
【図１４】
0005765617.tif 000015
【図１５】
0005765617.tif 000016
【図１６】
0005765617.tif 000017
【図１７】
0005765617.tif 000018
【図１８】
0005765617.tif 000019
【図１９】
0005765617.tif 000020
【図２０】
0005765617.tif 000021
【図２１】
0005765617.tif 000022
【図２２】
0005765617.tif 000023
【図２３】
0005765617.tif 000024
【図２４】
0005765617.tif 000025
【図２５】
0005765617.tif 000026
【図２６】
0005765617.tif 000027